(57)【要約】【課題】使用者による誤操作の可能性を低くすること、あるいは無くすことができるとともに、簡単な作業で炊飯する米の米質情報に適した炊飯シーケンスで炊くことを可能にする炊飯シーケンス自動選択装置及び方法、並びにその装置を備えた炊飯器を提供する。【解決手段】米質情報を記憶した情報記憶媒体から、前記米質情報を読み取る読取装置、前記米質情報に対して、炊飯シーケンスデータが対応させられている炊飯シーケンス情報テーブルを記憶している記憶装置、前記米質情報に基づいて、炊飯シーケンス情報テーブルを検索して対応する炊飯シーケンスデータを抽出する検索手段、及び抽出された炊飯シーケンスデータを出力する出力装置を有する。【選択図】図１
2006326289.tif 000002
【特許請求の範囲】
【請求項１】
炊飯器で炊飯するお米の米質情報に適した炊飯シーケンスを自動的に選択する装置であって、
米質情報を記憶した情報記憶媒体から、前記米質情報を読み取る読取装置、
前記米質情報に対して炊飯シーケンスデータが対応させられている炊飯シーケンス情報テーブルを予め記憶している記憶装置、
前記米質情報に基づいて、前記炊飯シーケンス情報テーブルを検索して対応する炊飯シーケンスデータを抽出する検索手段、及び、
抽出された炊飯シーケンスデータを出力する出力装置、
を有することを特徴とする炊飯シーケンス自動選択装置。
【請求項２】
前記米質情報には、米の米種、米の産地及び品種、及び米の硬軟質に関わる成分のいずれか一つの情報が含まれ、
前記記憶装置は、米の米種、米の産地及び品種、及び米の硬軟質に関わる成分のうちのいずれか一つの情報に対して炊飯シーケンスデータが対応させられている炊飯シーケンス情報テーブルを予め記憶し、
前記検索手段は、前記米質情報の前記米種、前記産地及び品種、及び前記硬軟質に関わる成分のうちのいずれか一つの情報に基づいて、前記炊飯シーケンス情報テーブルを検索し、対応する炊飯シーケンスデータを抽出するものであること、
を特徴とする請求項１に記載の炊飯シーケンス自動選択装置。
【請求項３】
前記米質情報には、米の収穫時期、又は米の製造日の情報が含まれ、
前記収穫時期から炊飯シーケンスの自動選択日までの第１の経過期間又は前記製造日から炊飯シーケンスの自動選択日までの第２の経過期間を演算する演算装置をさらに有し、
前記記憶装置は、米の収穫時期からの経過期間又は米の製造日からの経過期間の情報に対して炊飯シーケンスデータが対応させられている炊飯シーケンス情報テーブルを予め記憶し、
前記検索手段は、前記第１の経過期間又は前記第２の経過期間の情報を前記米質情報とし、前記第１の経過期間又は前記第２の経過期間の情報に基づいて、前記炊飯シーケンス情報テーブルを検索し、対応する炊飯シーケンスデータを抽出するものであること、
を特徴とする請求項１に記載の炊飯シーケンス自動選択装置。
【請求項４】
前記読取装置が前記米質情報を読み取った日を記憶する読取情報記憶手段、及び前記読取情報記憶手段に記憶された前記米質情報の読取日から炊飯シーケンスの自動選択日までの第３の経過期間を演算する演算装置をさらに有し、
前記記憶装置は、米質情報の読取日からの経過期間の情報に対して炊飯シーケンスデータが対応させられている炊飯シーケンス情報テーブルを予め記憶し、
前記検索手段は、前記第３の経過期間の情報を前記米質情報とし、前記第３の経過期間の情報に基づいて、前記炊飯シーケンス情報テーブルを検索し、対応する炊飯シーケンスデータを抽出するものであること、
を特徴とする請求項１に記載の炊飯シーケンス自動選択装置。
【請求項５】
前記米質情報には、米の米種、米の産地及び品種、及び米の硬軟質に関わる成分のいずれか一つの情報と、米の収穫時期の情報とが含まれ、
前記収穫時期から炊飯シーケンスの自動選択日までの第１の経過期間を演算する演算装置をさらに有し、
前記記憶装置は、米の収穫時期からの経過期間の情報と、米の米種、米の産地及び品種、及び米の硬軟質に関わる成分のうちのいずれか一つの情報との組み合わせに対して炊飯シーケンスデータが対応させられている炊飯シーケンス情報テーブルを予め記憶し、
前記検索手段は、前記第１の経過期間の情報を前記米質情報とし、前記第１の経過期間の情報と、前記米質情報の前記米種、前記産地及び品種、及び前記硬軟質に関わる成分のいずれか一つの情報とに基づいて、前記炊飯シーケンス情報テーブルを検索し、対応する炊飯シーケンスデータを抽出するものであること、
を特徴とする請求項１に記載の炊飯シーケンス自動選択装置。
【請求項６】
前記米質情報には、米の収穫時期及び米の製造日の情報が含まれ、
前記収穫時期から炊飯シーケンスの自動選択日までの第１の経過期間、及び前記製造日から炊飯シーケンスの自動選択日までの第２の経過期間を演算する演算装置をさらに有し、
前記記憶装置は、米の収穫時期からの経過期間及び米の製造日からの経過期間の情報の組み合わせに対して炊飯シーケンスデータが対応させられている炊飯シーケンス情報テーブルを予め記憶し、
前記検索手段は、前記第１の経過期間及び前記第２の経過期間の情報を前記米質情報とし、前記第１の経過期間及び前記第２の経過期間の情報に基づいて、前記炊飯シーケンス情報テーブルを検索し、対応する炊飯シーケンスデータを抽出するものであること、
を特徴とする請求項１に記載の炊飯シーケンス自動選択装置。
【請求項７】
前記米質情報には、米の米種、又は米の産地及び品種の情報と、米の製造日の情報とが含まれ、
前記製造日から炊飯シーケンスの自動選択日までの第２の経過期間を演算する演算装置をさらに有し、
前記記憶装置は、米の製造日からの経過期間の情報と、米の米種、又は米の産地及び品種の情報との組み合わせに対して炊飯シーケンスデータが対応させられている炊飯シーケンス情報テーブルを予め記憶し、
前記検索手段は、前記第２の経過期間の情報を前記米質情報とし、前記第２の経過期間の情報と、前記米質情報の前記米種、又は前記産地及び品種の情報とに基づいて、前記炊飯シーケンス情報テーブルを検索し、対応する炊飯シーケンスデータを抽出するものであること、
を特徴とする請求項１に記載の炊飯シーケンス自動選択装置。
【請求項８】
前記米質情報には、米の米種、又は米の産地及び品種の情報が含まれ、
前記読取装置が前記米質情報を読み取った日を記憶する読取情報記憶手段、及び、
前記読取情報記憶手段に記憶された前記米質情報の読取日から炊飯シーケンスの自動選択日までの第３の経過期間を演算する演算装置、
をさらに有し、
前記記憶装置は、米質情報の読取日からの経過期間の情報と、米の米種、又は米の産地及び品種の情報との組み合わせに対して炊飯シーケンスデータが対応させられている炊飯シーケンス情報テーブルを予め記憶し、
前記検索手段は、前記第３の経過期間の情報を前記米質情報とし、前記第３の経過期間の情報と、前記米質情報の前記米種、又は前記産地及び品種の情報とに基づいて、前記炊飯シーケンス情報テーブルを検索し、対応する炊飯シーケンスデータを抽出するものであること、
を特徴とする請求項１に記載の炊飯シーケンス自動選択装置。
【請求項９】
前記米質情報には、米の製造日の情報が含まれ、
前記読取装置が前記米質情報を読み取った日を記憶する読取情報記憶手段、及び、
前記製造日から炊飯シーケンスの自動選択日までの第２の経過期間と、前記読取情報記憶手段に記憶された前記米質情報の読取日から炊飯シーケンスの自動選択日までの第３の経過期間とを演算する演算装置、をさらに有し、
前記記憶装置は、米の製造日からの経過期間の情報と、米質情報の読取日からの経過期間の情報との組み合わせに対して炊飯シーケンスデータが対応させられている炊飯シーケンス情報テーブルを予め記憶し、
前記検索手段は、前記第２の経過期間及び前記第３の経過期間の情報を前記米質情報とし、前記第２の経過期間の情報及び前記第３の経過期間の情報に基づいて、前記炊飯シーケンス情報テーブルを検索し、対応する炊飯シーケンスデータを抽出するものであること、
を特徴とする請求項１に記載の炊飯シーケンス自動選択装置。
【請求項１０】
炊飯器で炊飯するお米の米質情報に適した炊飯シーケンスを自動的に選択する装置であって、
複数の米質情報を記憶した情報記憶媒体から、複数の米質情報を読み取る読取装置、
複数の米質情報の組み合わせに対して炊飯シーケンスデータが対応させられている炊飯シーケンス情報テーブルを予め記憶している記憶装置、
前記読取装置で読み取った前記複数の米質情報に基づいて、炊飯シーケンス情報テーブルを検索して対応する炊飯シーケンスデータを抽出する検索手段、及び、
抽出された炊飯シーケンスデータを出力する出力装置、
を有することを特徴とする炊飯シーケンス自動選択装置。
【請求項１１】
炊飯器で炊飯するお米の米質情報に適した炊飯シーケンスを自動的に選択する装置であって、
米の米種の情報及び数値で表される複数の米の米質データを含む米質情報を記憶した情報記憶媒体から、前記米質情報を読み取る読取装置、
複数の米質データ毎に、少なくとも一つの閾値により分類分けする複数の米質分類情報がそれぞれ対応させられている米質分類情報テーブル、及び米の米種の情報と前記複数の米質分類情報の組み合わせとに対して炊飯シーケンスデータが対応させられている炊飯シーケンス情報テーブル、を予め記憶している第１の記憶装置、
前記複数の米質データに基づいて、前記米質分類情報テーブルを検索して対応する前記複数の米質分類情報を抽出し、抽出した前記複数の米質分類情報の組み合わせと、前記米種の情報とに基づいて、前記炊飯シーケンス情報テーブルを検索して対応する炊飯シーケンスデータを抽出する検索手段、及び、
抽出された炊飯シーケンスデータを出力する出力装置、
を有することを特徴とする炊飯シーケンス自動選択装置。
【請求項１２】
前記米質データには、含水率、アミロース含量、及びタンパク質含量のいずれか一つのデータが含まれていることを特徴とする請求項１１に記載の炊飯シーケンス自動選択装置。
【請求項１３】
収穫時期及び／又は製造日から炊飯シーケンスの自動選択日までの第１の経過期間及び／又は第２の経過期間を演算する演算装置、をさらに有し、
前記米質情報には、米の収穫時期及び米の製造日の少なくとも一つの情報が含まれ、
前記第１の記憶装置の米質分類情報テーブルには、収穫時期からの経過期間及び／又は製造日からの経過期間の情報のそれぞれに対して、少なくとも一つの閾値で分類分けする収穫時期からの経過期間分類情報及び／又は製造日からの経過期間分類情報も対応させられていること、
を特徴とする請求項１１又は請求項１２に記載の炊飯シーケンス自動選択装置。
【請求項１４】
炊飯器で炊飯するお米の米質情報に適した炊飯シーケンスを自動的に選択する装置であって、
米の米種、米の硬軟質に関わる成分、及び米の収穫時期の情報を含む米質情報を記憶した情報記憶媒体から、前記米質情報を読み取る読取装置、
前記収穫時期から炊飯シーケンスの自動選択日までの第１の経過期間を演算する演算装置、
米の硬軟質に関わる成分の情報に対して少なくとも一つの閾値で分類分けする成分分類情報が対応させられている成分分類情報テーブル、米の収穫時期からの経過期間の情報に対して少なくとも一つの閾値で分類分けする収穫時期からの経過期間分類情報が対応させられている収穫時期からの経過期間分類情報テーブル、及び米の米種の情報、前記成分分類情報、及び前記収穫時期からの経過期間分類情報の組み合わせに応じて、炊飯シーケンスデータが対応させられている炊飯シーケンス情報テーブル、を予め記憶している第１の記憶装置、
前記米質情報の前記硬軟質に関わる成分の情報に基づいて、前記成分分類情報テーブルを検索して対応する前記成分分類情報を抽出し、前記第１の経過期間の情報に基づいて、前記収穫時期からの経過期間分類情報テーブルを検索して対応する前記収穫時期からの経過期間分類情報を抽出し、抽出した前記成分分類情報及び前記収穫時期からの経過期間分類情報と、前記米質情報の前記米種の情報との組み合わせに基づいて、前記炊飯シーケンス情報テーブルを検索して対応する炊飯シーケンスデータを抽出する検索手段、及び、
抽出された炊飯シーケンスデータを出力する出力装置、
を有することを特徴とする炊飯シーケンス自動選択装置。
【請求項１５】
前記米質情報には、数値で表される複数の米の米質データが含まれ、
複数の米の米質データに対して炊飯シーケンスデータの調整データが対応させられている調整情報テーブルを予め記憶している第２の記憶装置、及び、
前記米質情報の前記複数の米質データに基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整し、前記出力装置に調整した炊飯シーケンスデータを出力する調整手段、
をさらに有することを特徴とする請求項１４に記載の炊飯シーケンス自動選択装置。
【請求項１６】
前記複数の米質データには、含水率、白度、砕米率、及び水浸裂傷粒率のいずれか一つのデータが含まれることを特徴とする請求項１５に記載の炊飯シーケンス自動選択装置。
【請求項１７】
前記米質情報には、米の製造日の情報が含まれ、
前記演算装置は、前記製造日から炊飯シーケンスの自動選択日までの第２の経過期間も演算し、
前記第２の記憶装置の調整情報テーブルには、米の製造日からの経過期間の情報に対する調整データも対応させられていること、
を特徴とする請求項１５又は請求項１６に記載の炊飯シーケンス自動選択装置。
【請求項１８】
炊飯器で炊飯するお米の米質情報に適した炊飯シーケンスを自動的に選択する装置であって、
米の産地及び品種の情報、及び米の収穫時期の情報を含む米質情報を記憶した情報記憶媒体から、前記米質情報を読み取る読取装置、
前記収穫時期から炊飯シーケンスの自動選択日までの第１の経過期間を演算する演算装置、
米の産地及び品種の情報を分類分けする産地及び品種分類情報が対応させられている産地及び品種分類情報テーブル、米の収穫時期からの経過期間に対して少なくとも一つの閾値で分類分けする収穫時期からの経過期間分類情報が対応させられている収穫時期からの経過期間分類情報テーブル、及び前記産地及び品種分類情報と前記収穫時期からの経過期間分類情報との組み合わせに応じて、炊飯シーケンスデータが対応させられている炊飯シーケンス情報テーブル、を予め記憶している第１の記憶装置、
前記米質情報の前記産地及び品種の情報に基づいて、前記産地及び品種分類情報テーブルを検索して対応する前記産地及び品種分類情報を抽出し、前記第１の経過期間の情報に基づいて、前記収穫時期からの経過期間分類情報テーブルを検索して対応する前記収穫時期からの経過期間分類情報を抽出し、抽出した前記産地及び品種分類情報と前記収穫時期からの経過期間分類情報との組み合わせに基づいて、前記炊飯シーケンス情報テーブルを検索して対応する炊飯シーケンスデータを抽出する検索手段、及び、
抽出された炊飯シーケンスデータを出力する出力装置、
を有することを特徴とする炊飯シーケンス自動選択装置。
【請求項１９】
前記米質情報には、米の製造日の情報が含まれ、
前記演算装置は、前記製造日から炊飯シーケンスの自動選択日までの第２の経過期間も演算し、
米の製造日からの経過期間の情報に対して炊飯シーケンスデータの調整データが対応させられている調整情報テーブルを予め記憶している第２の記憶装置、及び、
前記第２の経過期間に基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整し、前記出力装置に調整した炊飯シーケンスデータを出力する調整手段、
をさらに有することを特徴とする請求項１８に記載の炊飯シーケンス自動選択装置。
【請求項２０】
炊飯器で炊飯するお米の米質情報に適した炊飯シーケンスを自動的に選択する装置であって、
米の米種、米の産地及び品種、及び米の硬軟質に関わる成分のいずれか一つの情報と、数値で表される米の米質のデータとを含む米質情報を記憶した情報記憶媒体から、前記米質情報を読み取る読取装置、
米の米種、米の産地及び品種、及び米の硬軟質に関わる成分のいずれか一つの情報に対して炊飯シーケンスデータが対応させられている炊飯シーケンス情報テーブル、及び数値で表される米の米質データに対して炊飯シーケンスデータの調整データが対応させられている調整情報テーブルを予め記憶している記憶装置、
前記米質情報の前記米種、前記産地及び品種、及び前記硬軟質に関わる成分のいずれか一つの情報に基づいて、前記炊飯シーケンス情報テーブルを検索して、対応する炊飯シーケンスデータを抽出する検索手段、
前記米質情報の前記米質データに基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整する調整手段、
前記調整手段で調整された炊飯シーケンスデータを出力する出力装置、
を有することを特徴とする炊飯シーケンス自動選択装置。
【請求項２１】
炊飯器で炊飯するお米の米質情報に適した炊飯シーケンスを自動的に選択する装置であって、
米質情報を記憶した情報記憶媒体から、前記米質情報を読み取る読取装置、
炊飯シーケンスデータと、米質情報に対して前記炊飯シーケンスデータの調整データが対応させられている調整情報テーブルとを記憶している記憶装置、
前記読取装置で読み取った前記米質情報に基づいて、前記調整情報テーブルを検索して対応する調整データを抽出し、抽出した前記調整データにより、前記炊飯シーケンスデータの中の前炊き、昇温、沸騰維持、又はむらしの工程における通電時間、加熱温度、加熱時間、又は加熱出力のデータを調整する調整手段、
前記調整手段で調整された炊飯シーケンスデータを出力する出力装置、
を有することを特徴とする炊飯シーケンス自動選択装置。
【請求項２２】
炊飯器で炊飯するお米の米質情報に適した炊飯シーケンスを自動的に選択する装置であって、
複数の米質情報を記憶した情報記憶媒体から、前記米質情報を読み取る読取装置、
米質情報の一つの情報に対して炊飯シーケンスデータが対応させられている炊飯シーケンス情報テーブル、及び米質情報の他の情報に対して炊飯シーケンスデータの調整データが対応させられている調整情報テーブルを予め記憶している記憶装置、
前記読取装置で読み取った前記米質情報の一つの情報に基づいて、前記炊飯シーケンス情報テーブルを検索して、対応する炊飯シーケンスデータを抽出する検索手段、
前記読取装置で読み取った前記米質情報の他の情報に基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整する調整手段、
前記調整手段で調整された炊飯シーケンスデータを出力する出力装置、
を有することを特徴とする炊飯シーケンス自動選択装置。
【請求項２３】
炊飯シーケンスデータに対して、炊飯シーケンスデータに基づく炊飯情報を示すメッセージ情報が対応させられているメッセージ情報テーブル、を予め記憶している第３の記憶装置、
前記出力装置が出力する炊飯シーケンスデータに基づいて、前記メッセージ情報テーブルを検索して対応するメッセージ情報を抽出するメッセージ検索手段、及び、
抽出されたメッセージ情報を表示する表示手段、
をさらに有することを特徴とする請求項１から請求項２２のいずれか一つに記載の炊飯シーケンス自動選択装置。
【請求項２４】
炊飯器で炊飯するお米の米質情報に適した炊飯シーケンスを自動的に選択する装置であって、
米の収穫時期の情報及び／又は米の製造日の情報が含まれている米質情報を記憶した情報記憶媒体から、前記米質情報を読み取る読取装置、
前記収穫時期から炊飯シーケンスの自動選択日までの第１の経過期間、及び／又は前記製造日から炊飯シーケンスの自動選択日までの第２の経過期間を演算し出力する演算装置、及び、
米の収穫時期からの経過期間及び／又は米の製造日からの経過期間の情報に対してそれらの情報に基づく炊飯情報を示すメッセージ情報が対応させられているメッセージ情報テーブルを予め記憶している第１の記憶装置、
前記第１の経過期間及び／又は前記第２の経過期間の情報に基づいて、前記メッセージ情報テーブルを検索して対応するメッセージ情報を抽出するメッセージ検索手段、及び、
抽出されたメッセージ情報を表示する表示手段、
を有することを特徴とする炊飯シーケンス自動選択装置。
【請求項２５】
前記表示手段は、前記抽出されたメッセージ情報に加えて、前記米質情報も表示することを特徴とする請求項２３又は請求項２４に記載の炊飯シーケンス自動選択装置。
【請求項２６】
前記情報記憶媒体が、ＩＣタグ又は二次元コードであることを特徴とする請求項１から請求項２５のいずれか一つに記載の炊飯シーケンス自動選択装置。
【請求項２７】
前記情報記憶媒体が、米袋に付されたＩＣタグ又は二次元コードであることを特徴とする請求項１から請求項２５のいずれか一つに記載の炊飯シーケンス自動選択装置。
【請求項２８】
請求項１から請求項２７のいずれか一つの炊飯シーケンス自動選択装置を有することを特徴とする炊飯器。
【請求項２９】
炊飯器で炊飯するお米の米質情報に適した炊飯シーケンスを自動的に選択する方法であって、
米質情報を記憶した情報記憶媒体から前記米質情報を読み取るステップ、
前記米質情報に基づいて、炊飯シーケンス情報テーブルを検索して対応する炊飯シーケンスデータを取得するステップ、及び、
取得した炊飯シーケンスデータを出力するステップ、
を有することを特徴とする炊飯シーケンスの自動選択方法。
【請求項３０】
炊飯器で炊飯するお米の米質情報に適した炊飯シーケンスを自動的に選択する方法であって、
米の米種の情報及び数値で表される複数の米の米質データを含む米質情報を記憶した情報記憶媒体から、前記米質情報を読み取るステップ、
前記複数の米質データに基づいて、米質分類情報テーブルを検索して対応する複数の米質分類情報を取得するステップ、
取得した前記複数の米質分類情報の組み合わせと前記米質情報の前記米種の情報とに基づいて、炊飯シーケンス情報テーブルを検索して対応する炊飯シーケンスデータを取得するステップ、
取得した炊飯シーケンスデータを出力するステップ、
を有することを特徴とする炊飯シーケンスの自動選択方法。
【請求項３１】
炊飯器で炊飯するお米の米質情報に適した炊飯シーケンスを自動的に選択する方法であって、
米の米種、米の硬軟質に関わる成分、及び米の収穫時期の情報を含む米質情報を記憶した情報記憶媒体から、前記米質情報を読み取るステップ、
前記硬軟質に関わる成分の情報を少なくとも一つの閾値により分類分けするステップ、
前記収穫時期から炊飯シーケンスの自動選択日までの第１の経過期間を演算するステップ、
前記米種の情報、前記硬軟質に関わる成分の分類情報、及び前記第１の経過期間の情報に基づいて、炊飯シーケンスを設定するステップ、及び、
前記設定された炊飯シーケンスを出力するステップ、
を有することを特徴とする炊飯シーケンスの自動選択方法。
【請求項３２】
炊飯器で炊飯するお米の米質情報に適した炊飯シーケンスを自動的に選択する方法であって、
米の米種の情報、米の硬軟質に関わる成分の情報、その他数値で表される複数の米の米質データ、及び米の収穫時期の情報を含む米質情報を記憶した情報記憶媒体から、前記米質情報を読み取るステップ、
前記硬軟質に関わる成分の情報を少なくとも一つの閾値により分類分けするステップ、
前記収穫時期から炊飯シーケンスの自動選択日までの第１の経過期間を演算するステップ、
前記米質情報の前記米種の情報と、前記硬軟質に関わる成分の分類情報とに基づいて、基準となる炊飯シーケンスデータを設定するステップ、
前記複数の米質データに基づいて、前記基準となる炊飯シーケンスデータの中の前炊き、昇温、沸騰維持、又はむらしの工程における通電時間、加熱温度、加熱時間、又は加熱出力のデータを調整するステップ、及び、
前記調整された炊飯シーケンスを出力するステップ、
を有することを特徴とする炊飯シーケンスの自動選択方法。
【請求項３３】
炊飯器で炊飯するお米の米質情報に適した炊飯シーケンスを自動的に選択する方法であって、
米の産地及び品種の情報、米の収穫時期の情報、及び数値で表される複数の米の米質データを含む米質情報を記憶した情報記憶媒体から、前記米質情報を読み取るステップ、
前記米の産地及び品種の情報を分類分けするステップ、
前記収穫時期から炊飯シーケンスの自動選択日までの第１の経過期間を演算するステップ、
前記産地及び品種の分類情報と、前記第１の経過期間の情報とに基づいて、基準となる炊飯シーケンスデータを設定するステップ、
前記複数の米質データに基づいて、前記基準となる炊飯シーケンスデータの前炊き、昇温、沸騰維持、又はむらしの工程における通電時間、加熱温度、加熱時間、又は加熱出力のデータを調整するステップ、及び、
前記調整された炊飯シーケンスを出力するステップ、
を有することを特徴とする炊飯シーケンスの自動選択方法。
【請求項３４】
炊飯器で炊飯するお米の米質情報に適した炊飯シーケンスを自動的に選択する方法であって、
米質情報を記憶した情報記憶媒体から、前記米質情報を読み取るステップ、
前記米質情報に基づいて、予め設定されている基準となる炊飯シーケンスデータの前炊き、昇温、沸騰維持、又はむらしの工程における通電時間、加熱温度、加熱時間、又は加熱出力のデータを調整するステップ、
前記調整された炊飯シーケンスを出力するステップ、
を有することを特徴とする炊飯シーケンスの自動選択方法。
【請求項３５】
炊飯器で炊飯するお米の米質情報に適した炊飯シーケンスを自動的に選択する方法であって、
複数の米質情報を記憶した情報記憶媒体から、前記米質情報を読み取るステップ、
前記米質情報の一つの情報に基づいて、基準となる炊飯シーケンスデータを設定するステップ、
前記米質情報の他の情報に基づいて、前記炊飯シーケンスデータの前炊き、昇温、沸騰維持、又はむらしの工程における通電時間、加熱温度、加熱時間、又は加熱出力のデータを調整するステップ、
前記調整された炊飯シーケンスを出力するステップ、
を有することを特徴とする炊飯シーケンスの自動選択方法。
【請求項３６】
出力された前記炊飯シーケンスデータと前記米質情報とに基づいて、それらに対応する炊飯情報を示すメッセージ情報を取得するステップ、
取得した前記メッセージ情報を表示するステップ、
をさらに有することを特徴とする請求項２９から請求項３５のいずれか一つに記載の炊飯シーケンスの自動選択方法。
【請求項３７】
前記情報記憶媒体が、ＩＣタグ又は二次元コードであることを特徴とする請求項２９から請求項３６のいずれか一つに記載の炊飯シーケンスの自動選択方法。
【請求項３８】
前記情報記憶媒体が、米袋に付されたＩＣタグ又は二次元コードであることを特徴とする請求項２９から請求項３６のいずれか一つに記載の炊飯シーケンスの自動選択方法。
【発明の詳細な説明】
【技術分野】
【０００１】
本発明は、炊飯シーケンス自動選択装置及び方法、並びにその装置を備えた炊飯器に関する。
【背景技術】
【０００２】
近年、お米を炊くための電気調理機器である炊飯器においては、お米の米質情報に応じて米本来のおいしさが引き出されたご飯を炊き上げることができるように、各種工夫が施されている。炊飯器で炊くお米の種類としては、精白米（うるち）はもとより精白米（もち）、玄米、分づき米、胚芽米、低アレルゲン米などの機能米、無洗米などがある。また、精白米（うるち）の中にも２００種類以上の品種が存在し、さらに産地によって規定される産地及び品種は多種多様である。さらに、これらの各種お米は、収穫からの経過期間に応じて、新米、古米等にも分類される。炊飯器においては、これらの米質情報に応じて、炊飯シーケンスの設定を変えることで、米本来のおいしさが引き出されたご飯を炊き上げることができるものが数多く提案されている。
【０００３】
このような炊飯器としては、例えば、特開２００２−３００９６３号公報（特許文献１）や特開平６−１３３８４９号公報（特許文献２）、特開２００４−３１３５７４号公報（特許文献３）、特開２００３−１１１６６９号公報（特許文献４）に開示されたものがある。
【０００４】
特許文献１の炊飯器は、米の銘柄（産地及び品種）を硬質、軟質などの米の性質により少なくとも３段階の銘柄群に分類し、その各銘柄群に適する炊飯シーケンスを予め記憶している。特許文献１の炊飯器において、使用者は、炊飯を行う前に分類された銘柄群を選択することにより、炊飯する米の米質情報（産地及び品種）に適した炊飯シーケンスで炊くことが可能となる。
【０００５】
特許文献２の炊飯器は、現在の日時を記憶するカレンダー部を備えている。特許文献２の炊飯器においては、そのカレンダー部の日付が、例えば１０月から１２月の場合は新米、６月から９月の場合は古米である判断する。これにより、炊飯する米の米質情報（鮮度）に適した炊飯シーケンスで炊くことが可能である。
【０００６】
特許文献３の炊飯器は、炊飯シーケンスを記憶する書き換え可能な不揮発性メモリーと、その不揮発性メモリーに炊飯シーケンスを伝える通信手段とを備えている。特許文献３の炊飯器において、使用者は、炊飯を行う前に炊飯する米の米質情報に適した炊飯シーケンスのデータを、ＣＤ−ＲＯＭなどの外部記憶装置から通信手段を介して不揮発性メモリーに記憶させる。これにより、炊飯する米の米質情報に適した炊飯シーケンスで炊くことが可能である。
【０００７】
特許文献４の炊飯器は、バーコードを読み取るバーコード読取手段を備え、バーコード読取手段からの信号に基づいて、炊飯メニュー（例えば精白米（うるち）、すしめし、おかゆ、玄米等）に応じた基本の炊飯シーケンスデータを変更（調整）できるように構成されている。これにより、使用者は、一度ご飯を食してみて、もう少しお米を硬く炊きあげたいとか、もっとおこげをつけたいといった場合、その細かな要望に対応するバーコードをバーコード読取手段に読み取らせることで、その細かな要望に対応する炊飯シーケンスデータに変更することができる。これにより、次回の炊飯時より、細かな要望に対応したお米を炊き上げることができる。
【０００８】
一方、近年、消費者の「食の安全性」に対する関心が高まっている。それに対して、生産及び供給者は、製品の品質や安全性に関わる情報を消費者に提供しようと、製品の原材料の品質情報等を購入者に開示する仕組み（食品トレーサビリティシステム）を構築してきている。
【０００９】
このような食品トレーサビリティシステムとしては、例えば（財）日本穀物検定協会の「米の情報提供システム」（非特許文献１）がある。このシステムでは、お米の鮮度、つや、てり、タンパク質、残留農薬やカドミウムの含量等の米質情報を、それらが記録された二次元コード（ＱＲコード）を携帯電話やパソコンなどで読み取ることによって、知ることができる。
【００１０】
【特許文献１】特開２００２−３００９６３号公報
【特許文献２】特開平６−１３３８４９号公報
【特許文献３】特開２００４−３１３５７４号公報
【特許文献４】特開２００３−１１１６６９号公報
【非特許文献１】インターネット＜ＵＲＬ：ｈｔｔｐ：／／ｗｗｗ．ｋｏｋｋｅｎ．ｏｒ．ｊｐ／＞
【発明の開示】
【発明が解決しようとする課題】
【００１１】
特許文献１から特許文献４の炊飯器においては、上述したように炊飯する米の米質情報に適した炊飯シーケンスで炊くことができる。
しかしながら、特許文献１の炊飯器においては、炊飯シーケンスを設定するのに、使用者が銘柄をボタン操作により選択しなければならないので、誤操作により炊飯する米の米質情報に適した炊飯シーケンスで炊くことができないこともあった。
また、特許文献２の炊飯器においては、カレンダー部の日付が何月であるかということで、新米か古米かを判断しているため、新米と古米の両方が市場に出回ることが考えられる９月から１０月にかけての端境期には、新米と古米とを誤って判断してしまうことがあった。したがって、炊飯する米の米質情報に適した炊飯シーケンスで炊くことができないこともあった。
【００１２】
また、特許文献３の炊飯器においては、炊く米の種類を変える度に、不揮発性メモリーに炊飯する米の米質情報に適した炊飯シーケンスのデータをボタン操作により記憶させなければならず、操作が煩雑であった。また、使用者が米の米質情報に適した炊飯シーケンスデータを選択しなければならないので、特許文献１の炊飯器と同様に、誤操作により炊飯する米の米質情報に適した炊飯シーケンスで炊くことができないこともあった。
【００１３】
また、特許文献４の炊飯器においては、使用者が複数のバーコードの中から、希望する変更項目に対応するバーコードを選択してバーコード読取手段に読み取らせるものであるので、そのバーコードの選択を誤ると、炊飯する米の米質情報に適した炊飯シーケンスで炊くことができないこともあった。
【００１４】
また、特許文献４の炊飯器においては、使用者が炊飯メニューに応じた炊飯シーケンスデータをボタン操作により選択する必要があるため、特許文献１及び３の炊飯器と同様に、誤操作により炊飯する米の米質情報に適した炊飯シーケンスで炊くことができないこともあった。
【００１５】
上述してきたように、炊飯する米の米質情報に応じて炊飯シーケンスの設定を変えることで、米本来のおいしさが引き出されたご飯を炊き上げることができるものは、数多く提案されている。しかしながら、市場に出回る米は非常に多種多様である。全ての米に対して最適な炊飯シーケンスで炊飯を実行するためには、まず、炊飯器にその米の米質情報、例えば米種、産地及び品種、硬軟質に関わる成分、収穫時期、製造日、読取日などの情報を正確に提供する必要がある。
【００１６】
しかしながら、炊飯器に炊飯する米の米質情報を誤って提供すると、米に対して最適な炊飯シーケンスで炊飯することができず、米本来のおいしさを引き出すことができずに、逆に不味いご飯になってしまうこともある。それらの米質情報を使用者が自身の知識やマニュアル等にしたがって、分類の判断を誤ることなく炊飯器に正確に提供（入力）することは、非常に困難なことである。仮にそれが可能であったとしても、その操作が非常に煩雑なものであろうことは容易に推測されるであろう。
【００１７】
一方で、上述したように食品トレーサビリティシステムが確立されることによって、消費者（使用者）は、炊飯するお米の米質情報について、様々な情報を手に入れることができるようになってきている。
【００１８】
本発明は、上記食品トレーサビリティシステムを応用することにより、炊飯シーケンスに関する使用者による誤操作の可能性を低くすることができる炊飯シーケンス自動選択装置及び方法、並びにその装置を備えた炊飯器を提供することを目的とする。
【課題を解決するための手段】
【００１９】
上記目的を達成するために、本発明の一つの観点による発明の炊飯シーケンス自動選択装置は、炊飯器で炊飯するお米の米質情報に適した炊飯シーケンスを自動的に選択する装置であって、米質情報を記憶した情報記憶媒体から、前記米質情報を読み取る読取装置、前記米質情報に対して炊飯シーケンスデータが対応させられている炊飯シーケンス情報テーブルを記憶している記憶装置、前記米質情報に基づいて、炊飯シーケンス情報テーブルを検索して対応する炊飯シーケンスデータを抽出する検索手段、及び抽出された炊飯シーケンスデータを出力する出力装置を有することを特徴とする。
【００２０】
この発明によれば、使用者は、予め米質情報を記憶した情報記憶媒体の米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【００２１】
前記一つの観点による発明の炊飯シーケンス自動選択装置は、前記読取装置が前記米質情報を読み取った日を記憶する読取情報記憶手段、及び前記読取情報記憶手段に記憶された前記米質情報の読取日から炊飯シーケンスの自動選択日までの第３の経過期間を演算する演算装置をさらに有し、前記記憶装置は、米質情報の読取日からの経過期間の情報に対して炊飯シーケンスデータが対応させられている炊飯シーケンス情報テーブルを予め記憶し、前記検索手段は、前記第３の経過期間の情報を前記米質情報とし、前記第３の経過期間の情報に基づいて、前記炊飯シーケンス情報テーブルを検索し、対応する炊飯シーケンスデータを抽出するものであってもよい。
【００２２】
この発明の炊飯シーケンス自動選択装置において、使用者は、米袋を開封した日に読取装置にその米質情報を読取らせれば、米袋の開封日から炊飯シーケンスの自動選択日までの経過期間を考慮した炊飯シーケンスでご飯を炊き上げることができる。したがって、米本来のおいしさがより引き出されたご飯を炊き上げることができる。また、読取情報記憶手段が読取った情報を記憶しているので、何度も米質情報を読取らせなくてもよくなる。
【００２３】
本発明の他の観点による炊飯シーケンス自動選択装置は、炊飯器で炊飯するお米の米質情報に適した炊飯シーケンスを自動的に選択する装置であって、複数の米質情報を記憶した情報記憶媒体から、複数の米質情報を読み取る読取装置、複数の米質情報の組み合わせに対して、炊飯シーケンスデータが対応させられている炊飯シーケンス情報テーブルを予め記憶している記憶装置、前記読取装置で読み取った前記複数の米質情報に基づいて、炊飯シーケンス情報テーブルを検索して対応する炊飯シーケンスデータを抽出する検索手段及び抽出された炊飯シーケンスデータを出力する出力装置、を有することを特徴とする。
【００２４】
この発明の炊飯シーケンス自動選択装置によれば、使用者は、予め各米質情報を記憶した情報記憶媒体の各米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【００２５】
本発明の別の観点による炊飯シーケンス自動選択装置は、炊飯器で炊飯するお米の米質情報に適した炊飯シーケンスを自動的に選択する装置であって、少なくとも米種の情報及び数値で表される複数の米の米質データを含む米質情報を記憶した情報記憶媒体から、前記米質情報を読み取る読取装置、複数の米質データ毎に、少なくとも１つの閾値により分類分けする複数の米質分類情報がそれぞれ対応させられている米質分類情報テーブル、及び米の米種の情報と前記複数の米質分類情報の組み合わせとに対して、炊飯シーケンスデータが対応させられている炊飯シーケンス情報テーブル、を予め記憶している第１の記憶装置、前記複数の米質データに基づいて、前記米質分類情報テーブルを検索して対応する前記複数の米質分類情報を抽出し、抽出した前記複数の米質分類情報の組み合わせと、前記米種の情報とに基づいて、前記炊飯シーケンス情報テーブルを検索して対応する炊飯シーケンスデータを抽出する検索手段、及び抽出した炊飯シーケンスデータを出力する出力装置、を有することを特徴とする。
【００２６】
この発明の炊飯シーケンス自動選択装置によれば、使用者は、予め各米質情報を記憶した情報記憶媒体の各米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【００２７】
本発明の別の観点による炊飯シーケンス自動選択装置は、収穫時期及び／又は製造日から炊飯シーケンスの自動選択日までの第１の経過期間及び／又は第２の経過期間を演算する演算装置、をさらに有し、前記米質情報には、米の収穫時期及び米の製造日の少なくとも一つの情報が含まれ、前記第１の記憶装置の米質分類情報テーブルには、収穫時期からの経過期間及び／又は製造日からの経過期間の情報のそれぞれに対して、少なくとも一つの閾値で分類分けする収穫時期からの経過期間分類情報及び／又は製造日からの経過期間分類情報も対応させられていることを特徴とする。
【００２８】
この発明によれば、収穫時期から炊飯シーケンスの自動選択日までの第１の経過期間を演算することにより、新米、普通米、古米等の米の鮮度を自動的に判定できる。したがって、例えば新米の場合には、柔らかくなり過ぎたり水っぽくなったりすることを防ぎ、古米の場合には、硬くなり過ぎたり香りが悪くなったりすることを防ぐことができる。また、製造日から炊飯シーケンスの自動選択日までの第２の経過期間を演算することにより、精米の酸化及び乾燥度合いに応じた適切な炊飯シーケンスで炊くことが可能となる。したがって、米の鮮度に関わらず、年間を通じて、その米を最もおいしく炊き上げることができる。
【００２９】
本発明のさらに別の観点による炊飯シーケンス自動選択装置は、炊飯器で炊飯するお米の米質情報に適した炊飯シーケンスを自動的に選択する装置であって、米の米種、米の硬軟質に関わる成分、及び米の収穫時期の情報を含む米質情報を記憶した情報記憶媒体から、前記米質情報を読み取る読取装置、前記収穫時期から炊飯シーケンスの自動選択日までの第１の経過期間を演算する演算装置、米の硬軟質に関わる成分の情報に対して少なくとも一つの閾値で分類分けする成分分類情報が対応させられている成分分類情報テーブル、米の収穫時期からの経過期間の情報に対して少なくとも一つの閾値で分類分けする収穫時期からの経過期間分類情報が対応させられている収穫時期からの経過期間分類情報テーブル、及び米の米種の情報、前記成分分類情報、及び前記収穫時期からの経過期間分類情報の組み合わせに応じて、炊飯シーケンスデータが対応させられている炊飯シーケンス情報テーブル、を予め記憶している第１の記憶装置、前記米質情報の前記硬軟質に関わる成分の情報に基づいて、前記成分分類情報テーブルを検索して対応する前記成分分類情報を抽出し、前記第１の経過期間の情報に基づいて、前記収穫時期からの経過期間分類情報テーブルを検索して対応する前記収穫時期からの経過期間分類情報を抽出し、抽出した前記成分分類情報、前記収穫時期からの経過期間分類情報と、前記米質情報の前記米種の情報との組み合わせに基づいて、前記炊飯シーケンス情報テーブルを検索して対応する炊飯シーケンスデータを抽出する検索手段、及び抽出された炊飯シーケンスデータを出力する出力装置、を有することを特徴とする。
【００３０】
この発明によれば、使用者は、予め各米質情報を記憶した情報記憶媒体の各米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【００３１】
本発明のさらに別の観点による炊飯シーケンス自動選択装置は、前記米質情報には、数値で表される複数の米の米質データが含まれ、複数の米の米質データに対して炊飯シーケンスの調整データが対応させられている調整情報テーブルを記憶している第２の記憶装置、及び前記米質情報の前記複数の米質データに基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における加熱温度、加熱時間、又は加熱出力のデータを調整し、前記出力装置に調整した炊飯シーケンスデータを出力する調整手段、をさらに有することを特徴とする。
【００３２】
この発明によれば、米質データ（例えば、含水率、白度、砕米率、水浸裂傷粒率など）に応じて、炊飯シーケンスデータの炊飯工程（主として、前炊き工程、昇温工程、沸騰維持工程、むらし工程）における通電時間、加熱温度、加熱時間、又は加熱出力を調整する。これにより、さらに炊飯する米の米質情報にきめ細かに対応した炊飯シーケンスで炊くことが可能となり、炊飯による加熱が米に与えるダメージを最小限に抑えることができるため、米本来のおいしさが引き出されたご飯を炊き上げることができる。
【００３３】
本発明のさらに別の観点による炊飯シーケンス自動選択装置は、前記米質情報には、米の製造日の情報が含まれ、前記演算装置は、前記製造日から炊飯シーケンスの自動選択日までの第２の経過期間も演算し、前記第２の記憶装置の調整情報テーブルには、米の製造日からの経過期間の情報に対する調整データも対応させられていることを特徴とする。
【００３４】
この発明によれば、米の製造日から炊飯シーケンスの自動選択日までの第２の経過期間を演算することにより、さらに炊飯する精米の酸化及び乾燥度合いに応じた適切な炊飯シーケンスで炊くことが可能となり、精米の鮮度に関わらず、その米を最もおいしく炊き上げることができる。
【００３５】
本発明のさらに別の観点による炊飯シーケンス自動選択装置は、炊飯器で炊飯するお米の米質情報に適した炊飯シーケンスを自動的に選択する装置であって、米の産地及び品種の情報、及び米の収穫時期の情報を含む米質情報を記憶した情報記憶媒体から、前記米質情報を読み取る読取装置、前記収穫時期から炊飯シーケンスの自動選択日までの第１の経過期間を演算する演算装置、米の産地及び品種の情報を分類分けする産地及び品種分類情報が対応させられている産地及び品種分類情報テーブル、米の収穫時期からの経過期間に対して少なくとも一つの閾値で分類分けする収穫時期からの経過時間分類情報が対応させられている収穫時期からの経過期間分類情報テーブル、及び前記産地及び品種分類情報と前記収穫時期からの経過期間分類情報との組み合わせに応じて、炊飯シーケンスデータが対応させられている炊飯シーケンス情報テーブル、を予め記憶している第１の記憶装置、前記米質情報の前記産地及び品種分類情報に基づいて、前記産地及び品種分類情報テーブルを検索して対応する前記産地及び品種分類情報を抽出し、前記第１の経過期間の情報に基づいて、前記収穫時期からの経過期間分類情報テーブルを検索して対応する前記収穫時期からの経過期間分類情報を抽出し、抽出した前記産地及び品種分類情報と前記収穫時期からの経過期間分類情報との組み合わせに基づいて、前記炊飯シーケンス情報テーブルを検索して対応する炊飯シーケンスデータを抽出する検索手段、及び抽出された炊飯シーケンスデータを出力する出力装置、を有することを特徴とする。
【００３６】
この発明によれば、使用者は、予め各米質情報を記憶した情報記憶媒体の各米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の産地及び品種を分類し、その産地及び品種に適した炊飯シーケンスを選択することがないので、使用者による誤操作の可能性を無くすことができる。
【００３７】
本発明のさらに別の観点による炊飯シーケンス自動選択装置は、前記米質情報には、米の製造日の情報が含まれ、前記演算装置は、前記製造日から炊飯シーケンスの自動選択日までの第２の経過期間も演算し、米の製造日からの経過期間の情報に対して炊飯シーシケンスの調整データが対応させられている調整情報テーブルを予め記憶している第２の記憶装置、及び前記第２の経過期間に基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整し、前記出力装置に調整した炊飯シーケンスデータを出力する調整手段、をさらに有することを特徴とする。
【００３８】
この発明によれば、米の製造日から炊飯シーケンスの自動選択日までの第２の経過期間を演算し、その第２の経過期間に応じて検索手段が抽出する炊飯シーケンスを調整する。これにより、例えば精白米において、さらに炊飯する精米の酸化及び乾燥度合いに応じた適切な炊飯シーケンスで炊くことが可能となり、精米の鮮度に関わらず、その米を最もおいしく炊き上げることができる。
【００３９】
本発明のさらに別の観点による炊飯シーケンス自動選択装置は、炊飯器で炊飯するお米の米質情報に適した炊飯シーケンスを自動的に選択する装置であって、米の米種、米の産地及び品種、及び米の硬軟質に関わる成分のうちのいずれか一つの情報と、数値で表される米質のデータとを含む米質情報を記憶した情報記憶媒体から、前記米質情報を読み取る読取装置、米の米種、米の産地及び品種、及び米の硬軟質に関わる成分のいずれか一つの情報に対して、炊飯シーケンスデータが対応させられている炊飯シーケンス情報テーブル、及び数値で表される米の米質データに対して炊飯シーケンスの調整データが対応させられている調整情報テーブルを予め記憶している記憶装置、前記米質情報の前記米種、前記産地及び品種、及び前記硬軟質に関わる成分のいずれか一つの情報に基づいて、前記炊飯シーケンス情報テーブルを検索して、対応する炊飯シーケンスデータを抽出する検索手段、前記米質情報の前記米質データに基づいて、前記調整情報テーブルを検索して対応する調整データを抽出し、抽出した前記調整データにより、前記検索手段が出力する炊飯シーケンスデータの中の前炊き、昇温、沸騰維持、又はむらしの工程における通電時間、加熱温度、加熱時間、又は加熱出力を調整する調整手段、前記調整手段で調整された炊飯シーケンスデータを出力する出力装置、を有することを特徴とする。
【００４０】
この発明によれば、使用者は、予め各米質情報を記憶した情報記憶媒体の各米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。また、基準となる炊飯シーケンスを設定して、その炊飯シーケンスを調整データをもとに調整するので、記憶装置には記憶容量の小さいものを使用できる。したがって、装置の小型化及び低コストを図ることができる。
【００４１】
本発明のさらに別の観点による炊飯シーケンス自動選択装置は、炊飯器で炊飯するお米の米質情報に適した炊飯シーケンスを自動的に選択する装置であって、米質情報を記憶した情報記憶媒体から、前記米質情報を読み取る読取装置、炊飯シーケンスデータと、米質情報に対して前記炊飯シーケンスデータの調整データが対応させられている調整情報テーブルとを記憶している記憶装置、前記読取装置で読み取った前記米質情報に基づいて、前記調整情報テーブルを検索して対応する調整データを抽出し、抽出した前記調整データにより、前記炊飯シーケンスデータの中の前炊き、昇温、沸騰維持、又はむらしの工程における通電時間、加熱温度、加熱時間、又は加熱出力のデータを調整する調整手段、前記調整手段で調整された炊飯シーケンスデータを出力する出力装置、を有することを特徴とする。
【００４２】
この発明によれば、使用者は、予め米質情報を記憶した情報記憶媒体の米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。また、炊飯シーケンスを、米質情報に基づいて検索した調整データにより調整するので、記憶装置には記憶容量の小さいものを使用できる。したがって、装置の小型化及び低コストを図ることができる。
【００４３】
本発明のさらに別の観点による炊飯シーケンス自動選択装置は、炊飯器で炊飯するお米の米質情報に適した炊飯シーケンスを自動的に選択する装置であって、複数の米質情報を記憶した情報記憶媒体から、前記米質情報を読み取る読取装置、米質情報の一つの情報に対して、炊飯シーケンスデータが対応させられている炊飯シーケンス情報テーブル、及び前記米質情報の他の情報に対して、炊飯シーケンスデータの調整データが対応させられている調整情報テーブルを予め記憶している記憶装置、前記読取装置で読み取った前記米質情報の一つの情報に基づいて、前記炊飯シーケンス情報テーブルを検索して、対応する炊飯シーケンスデータを抽出する検索手段、前記読取装置で読み取った前記米質情報の他の情報に基づいて、前記調整情報テーブルを検索して対応する調整データを抽出し、抽出した前記調整データにより、前記検索手段が抽出する炊飯シーケンスデータの中の前炊き、昇温、沸騰維持、又はむらしの工程における通電時間、加熱温度、加熱時間、又は加熱出力のデータを調整する調整手段、前記調整手段で調整された炊飯シーケンスデータを出力する出力装置、を有することを特徴とする。
【００４４】
この発明によれば、使用者は、予め米質情報を記憶した情報記憶媒体の米質情報を、読取装置に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。また、基準となる炊飯シーケンスを設定して、その炊飯シーケンスを調整データをもとに調整するので、記憶装置には記憶容量の小さいものを使用できる。したがって、装置の小型化及び低コストを図ることができる。
【００４５】
本発明のさらに別の観点による炊飯シーケンス自動選択装置は、炊飯シーケンスデータに対して、炊飯シーケンスデータに基づく炊飯情報を示すメッセージ情報が対応させられているメッセージ情報テーブル、を予め記憶している第３の記憶装置、前記出力装置が出力する炊飯シーケンスデータに基づいて、前記メッセージ情報テーブルを検索して対応するメッセージ情報を抽出するメッセージ検索手段、及び抽出されたメッセージ情報を表示する表示手段、をさらに有することを特徴とする。
【００４６】
この発明によれば、使用者は予め各米質情報を記憶した情報記憶媒体の各米質情報を、読取装置に読み取らすだけの簡単な作業を行うことで、炊飯する米の米質情報に適した炊飯シーケンスを表示手段で確認することができる。また、使用者による誤操作の可能性を低くすること、あるいは無くすことができる。
【００４７】
本発明のさらに別の観点による炊飯シーケンス自動選択装置は、炊飯器で炊飯するお米の米質情報に適した炊飯シーケンスを自動的に選択する装置であって、米の収穫時期の情報及び／又は米の製造日の情報が含まれている米質情報を記憶した情報記憶媒体から、前記米質情報を読み取る読取装置、前記収穫時期から炊飯シーケンスの自動選択日までの第１の経過期間、及び／又は前記製造日から炊飯シーケンスの自動選択日までの第２の経過期間を演算し出力する演算装置、及び米の収穫時期からの経過期間及び／又は米の製造日からの経過期間の情報に対して、それらの情報に基づく炊飯情報を示すメッセージ情報が対応させられているメッセージ情報テーブルを予め記憶している第１の記憶装置、前記第１の経過期間及び／又は前記第２の経過期間の情報に基づいて、前記メッセージ情報テーブルを検索して対応するメッセージ情報を抽出するメッセージ検索手段、及び抽出されたメッセージ情報を表示する表示手段を有することを特徴とする。
【００４８】
この発明によれば、使用者は予め各米質情報を記憶した情報記憶媒体の各米質情報を、読取装置に読み取らすだけの簡単な作業で、表示手段に炊飯する米の米質情報に応じたメッセージ情報が表示される。これにより使用者は、炊飯する米の米質情報を確認でき、誤操作の可能性を低くすること、あるいは無くすことができる。
【００４９】
本発明のさらに別の観点による炊飯シーケンス自動選択装置は、前記情報記憶媒体が、ＩＣタグ又は二次元コードであることを特徴とする。
本発明のさらに別の観点による炊飯シーケンス自動選択装置は、前記情報記憶媒体が、米袋に付されたＩＣタグ又は二次元コードであることを特徴とする。
【００５０】
本発明の一つの観点による炊飯器は、上記いずれかの炊飯シーケンス自動選択装置を有することを特徴とする。
【００５１】
この発明によれば、使用者による誤操作の可能性を低くすること、あるいは無くすことができる炊飯器を提供することができる。また、簡単な作業で炊飯する米の米質情報に適した炊飯シーケンスで炊くことができる炊飯器を提供することができる。さらに、簡単な作業で炊飯する米の米質情報を確認できる炊飯器を提供することができる。
【００５２】
本発明の一つの観点による炊飯シーケンスの自動選択方法は、炊飯器で炊飯するお米の米質情報に適した炊飯シーケンスを自動的に選択する方法であって、米質情報を記憶した情報記憶媒体から前記米質情報を読み取るステップ、前記米質情報に基づいて、炊飯シーケンス情報テーブルを検索して対応する炊飯シーケンスデータを取得するステップ、及び取得した炊飯シーケンスデータを出力するステップ、を有することを特徴とする。
【００５３】
本発明の他の観点による炊飯シーケンスの自動選択方法は、炊飯器で炊飯するお米の米質情報に適した炊飯シーケンスを自動的に選択する方法であって、米の米種の情報及び数値で表される複数の米の米質データを含む米質情報を記憶した情報記憶媒体から、前記米質情報を読み取るステップ、前記複数の米質データに基づいて、米質分類情報テーブルを検索して対応する複数の米質分類情報を取得するステップ、取得した前記複数の米質分類情報の組み合わせと前記米質情報の前記米種の情報とに基づいて、炊飯シーケンス情報テーブルを検索して対応する炊飯シーケンスデータを取得するステップ、取得した炊飯シーケンスデータを出力するステップ、を有することを特徴とする。
【００５４】
本発明の別の観点による炊飯シーケンスの自動選択方法は、炊飯器で炊飯するお米の米質情報に適した炊飯シーケンスを自動的に選択する方法であって、米の米種、米の硬軟質に関わる成分、及び米の収穫時期の情報を含む米質情報を記憶した情報記憶媒体から、前記米質情報を読み取るステップ、前記硬軟質に関わる成分の情報を少なくとも一つの閾値により分類分けするステップ、前記収穫時期から炊飯シーケンスの自動選択日までの第１の経過期間を演算するステップ、前記米種の情報、前記硬軟質に関わる成分の分類情報、及び前記第１の経過期間の情報に基づいて、炊飯シーケンスを設定するステップ、及び前記設定された炊飯シーケンスを出力するステップ、を有することを特徴とする。
【００５５】
本発明のさらに別の観点による炊飯シーケンスの自動選択方法は、炊飯器で炊飯するお米の米質情報に適した炊飯シーケンスを自動的に選択する方法であって、米の米種の情報、米の硬軟質に関わる成分の情報、その他数値で表される複数の米の米質データ、及び米の収穫時期の情報を含む米質情報を記憶した情報記憶媒体から、前記米質情報を読み取るステップ、前記硬軟質に関わる成分の情報を少なくとも一つの閾値により分類分けするステップ、前記収穫時期から炊飯シーケンスの自動選択日までの第１の経過期間を演算するステップ、前記米質情報の前記米種の情報と、前記硬軟質に関わる成分の分類情報とに基づいて、基準となる炊飯シーケンスデータを設定するステップ、前記複数の米質データに基づいて、前記基準となる炊飯シーケンスデータの中の前炊き、昇温、沸騰維持、又はむらしの工程における通電時間、加熱温度、加熱時間、又は加熱出力のデータを調整するステップ、及び前記調整された炊飯シーケンスを出力するステップ、を有することを特徴とする。
【００５６】
本発明のさらに別の観点による炊飯シーケンスの自動選択方法は、炊飯器で炊飯するお米の米質情報に適した炊飯シーケンスを自動的に選択する方法であって、米の産地及び品種情報、米の収穫時期の情報、及び数値で表される複数の米の米質データを含む米質情報を記憶した情報記憶媒体から、前記米質情報を読み取るステップ、前記米の産地及び品種情報を分類分けするステップ、前記収穫時期から炊飯シーケンスの自動選択日までの第１の経過期間を演算するステップ、前記産地及び品種分類情報と、前記第１の経過期間の情報とに基づいて、基準となる炊飯シーケンスデータを設定するステップ、前記複数の米質データに基づいて、前記基準となる炊飯シーケンスデータの前炊き、昇温、沸騰維持、又はむらしの工程における通電時間、加熱温度、加熱時間、又は加熱出力のデータを調整するステップ、及び前記調整された炊飯シーケンスを出力するステップ、を有することを特徴とする。
【００５７】
本発明のさらに別の観点による炊飯シーケンスの自動選択方法は、炊飯器で炊飯するお米の米質情報に適した炊飯シーケンスを自動的に選択する方法であって、米の産地及び品種の情報、米の収穫時期の情報、及び数値で表される複数の米の米質データを含む米質情報を記憶した情報記憶媒体から、前記米質情報を読み取るステップ、前記米の産地及び品種の情報を分類分けするステップ、前記収穫時期から炊飯シーケンスの自動選択日までの第１の経過期間を演算するステップ、前記産地及び品種の分類情報と、前記第１の経過期間の情報とに基づいて、基準となる炊飯シーケンスデータを設定するステップ、前記複数の米質データに基づいて、前記基準となる炊飯シーケンスデータの前炊き、昇温、沸騰維持、又はむらしの工程における通電時間、加熱温度、加熱時間、又は加熱出力のデータを調整するステップ、及び前記調整された炊飯シーケンスを出力するステップ、を有することを特徴とする。
【００５８】
本発明のさらに別の観点による炊飯シーケンスの自動選択方法は、炊飯器で炊飯するお米の米質情報に適した炊飯シーケンスを自動的に選択する方法であって、米質情報を記憶した情報記憶媒体から、前記米質情報を読み取るステップ、前記米質情報に基づいて、予め設定されている基準となる炊飯シーケンスデータの前炊き、昇温、沸騰維持、又はむらしの工程における通電時間、加熱温度、加熱時間、又は加熱出力のデータを調整するステップ、前記調整された炊飯シーケンスを出力するステップ、を有することを特徴とする。
【００５９】
本発明のさらに別の観点による炊飯シーケンスの自動選択方法は、炊飯器で炊飯するお米の米質情報に適した炊飯シーケンスを自動的に選択する方法であって、複数の米質情報を記憶した情報記憶媒体から、前記米質情報を読み取るステップ、前記米質情報の一つの情報に基づいて、基準となる炊飯シーケンスデータを設定するステップ、前記米質情報の他の情報に基づいて、前記炊飯シーケンスデータの前炊き、昇温、沸騰維持、又はむらしの工程における通電時間、加熱温度、加熱時間、又は加熱出力のデータを調整するステップ、前記調整された炊飯シーケンスを出力するステップ、を有することを特徴とする。
【００６０】
本発明のさらに別の観点による炊飯シーケンスの自動選択方法は、前記炊飯シーケンスの自動選択方法よりさらに、出力された前記炊飯シーケンスデータと前記米質情報とに基づいて、それらに対応する炊飯情報を示すメッセージ情報を取得するステップ、取得した前記メッセージ情報を表示するステップを有することを特徴とする。
【００６１】
本発明のさらに別の観点による炊飯シーケンスの自動選択方法は、前記情報記憶媒体が、ＩＣタグ又は二次元コードであることを特徴とする。
本発明のさらに別の観点による炊飯シーケンスの自動選択方法は、前記情報記憶媒体が、米袋に付されたＩＣタグ又は二次元コードであることを特徴とする。
【発明の効果】
【００６２】
本発明の炊飯シーケンス自動選択装置及び方法、並びにその装置を備えた炊飯器によれば、使用者による誤操作の可能性を低くすること、あるいは無くすことができる。また、簡単な作業で炊飯する米の米質情報に適した炊飯シーケンスで炊くことができる。さらに、簡単な作業で炊飯する米の米質情報を確認することができる。
【発明を実施するための最良の形態】
【００６３】
本発明の記述を続ける前に、まず、本発明にて用いられている用語の定義及び米との関係等について述べる。
「炊飯シーケンス」とは、前炊き、昇温、沸騰維持、むらしの主として４つの工程からなり、各工程を順に行うにあたって、各工程において通電時間、加熱温度、加熱時間、加熱出力等が予め決められている炊飯の手順をいう。
【００６４】
「米質情報」とは、米の性質に関する情報をいう。前記米質情報としては、例えば米の米種、米の産地及び品種、米の硬軟質に関わる成分、米の収穫時期、米の製造日、米の読取日などの情報が挙げられる。
【００６５】
「米種」とは、米の種類をいう。例えば精白米（うるち）、無洗米、精白米（もち）、玄米、分づき米、胚芽米、腎臓病対応米等の機能米などが挙げられる。また、例えば、無洗米においては、何種類かの異なる製造方法があることが知られており、その製造方法により、あるものは焦げやすかったり、あるものは吸水しにくかったりと性質が異なる。
【００６６】
「産地及び品種」とは、米の産地と品種とを組み合わせたもの、つまり銘柄をいう。例えば、宮城産ひとめぼれ、新潟産コシヒカリ、岩手産あきたこまちなどが挙げられる。米の産地は都道府県名が多いが、さらに細かく区分された産地県内区分や地域名が使われる場合もある。例えば、魚沼産コシヒカリ、長野Aコシヒカリなどが挙げられる。品種は、例えば精白米（うるち）だけでも、２００品種以上存在し、吸水のしやすさや糊化のしやすさ、組織の崩れやすさなどの性質はそれぞれ異なる。例えば、魚沼産コシヒカリなどは、非常に組織の柔らかい性質で、米の組織が崩れてベチャつきやすい。また、北海道産米などは、組織の硬い性質で、粒の芯が硬く残ったり、粘りのないご飯になりやすい。
【００６７】
「硬軟質に関わる成分」とは、「硬質米」や「軟質米」などの米の性質の違いに関する成分をいう。例えばアミロース含量やタンパク質含量が挙げられる。でんぷんのアミロース含量やタンパク質含量はご飯の食味に影響を及ぼすことが知られている。精白米（うるち）でんぷんは、アミロースとアミロペクチンとからできており、アミロース含量が低いほど、ご飯の粘りが強くなる傾向がある。また、タンパク質は、細胞壁の内側や細胞内のでんぷん粒の間に顆粒状として存在し、細胞壁の崩壊やでんぷんの糊化、膨潤を妨げるといわれている。例えば、タンパク質含量が低い米の場合には、粒の組織が崩れてベチャつきやすく、タンパク質含量が高い米の場合には、粒の芯が硬く残ったり、粘りのないご飯になりやすい。
【００６８】
「収穫時期」とは、米の収穫の時期をいう。前記収穫時期の情報からは、新米、普通米、古米等の米の鮮度を知ることができる。例えば玄米では、収穫後、時間の経過とともに米質が変化するため、炊飯したご飯の硬さや香り等も変化していくことが知られている。もし、誤って新米を古米の炊飯シーケンスで炊飯すると、柔らかくなり過ぎたり、水っぽくなったりする。また、古米を新米の炊飯シーケンスで炊飯すると、硬くなり過ぎたり香りが悪くなったりして、ご飯のおいしさを損なってしまう場合がある。
【００６９】
「製造日」とは、簡単にいえば米を販売形態化した日であって、例えば精白米、分づき米、胚芽米などの場合は玄米を精米した日、無洗米の場合は、無洗米化処理をした日、玄米の場合は販売形態化した日（例えば、米を袋などに梱包した日）をいう。前記製造日の情報からは、製造日から炊飯シーケンスの自動選択日までの経過期間を知ることができる。例えば精白米では、精米によって糠層を除去するため、精米された時点から急速に酸化、乾燥などによる劣化が進むことが知られている。劣化が進んだ米を炊飯すると、酸化及び乾燥の為に吸水が阻害され、ご飯の粒の中が硬くなることがある。
【００７０】
「読取日」とは、袋梱包された米袋を開封したあとに、読取手段が情報記憶媒体から米質情報を読み取った日をいう。米袋が開封され、空気にさらされたお米は、急速に劣化が進むことが知られている。また、空調設備の整った店頭で保管されている場合に比べて、家庭で保管されている場合においては、温度及び湿度の変化が大きく、さらに急速に劣化が促進することが考えられる。前述のように、劣化が進んだ米を炊飯すると、酸化及び乾燥の為に吸水が阻害され、ご飯の粒の中が硬くなることがある。
【００７１】
「炊飯シーケンス情報テーブル」とは、一つの米質情報、又は複数の米質情報の組み合わせに対して、炊飯シーケンスデータが対応させられている情報テーブル（例えば、図２Ｂ、図１１Ｃ、図１３Ｂ、図２３〜２８）をいう。この米質情報には、米の米種、米の産地及び品種、及び米の硬軟質に関わる成分のいずれか一つの情報が含まれていればよい。
【００７２】
以下に本発明の最良の実施の形態について、図面を参照して説明する。
【００７３】
《実施の形態１》
図１から図９を用いて、本発明の実施の形態１の炊飯シーケンス自動選択装置及び炊飯シーケンスの自動選択方法について説明する。図１は、実施の形態１の炊飯シーケンス自動選択装置のブロック図を示している。
【００７４】
図１において、実施の形態１の炊飯シーケンス自動選択装置１００は、情報記憶媒体２に記憶された米の米質情報を読み取り、その米に適した炊飯シーケンスを検索し出力する装置である。情報記憶媒体２の一例としては、米袋に付されたＩＣタグである。情報記憶媒体２には、例えば、米の含水率、米の白度、米の砕米率、米の水浸裂傷粒率、米のタンパク質含量、米のアミロース含量などの数値で表される米質データ、米の収穫時期及び米の製造日の情報、及び米の米種、米の産地及び品種などの非数値情報、の米質情報が予め記憶されている。なお、収穫時期の情報には、収穫年月日を示す情報が含まれているのが好ましいが、少なくとも収穫年度を示す情報が含まれていればよい。ここでは、収穫時期の情報は、収穫年度及び収穫月の情報を示すものとする。
【００７５】
炊飯シーケンス自動選択装置１００は、読取装置の一例である読取手段４、演算装置の一例である演算手段６、検索手段８、出力手段１０、メッセージ検索手段１２、表示手段１４、第１の記憶装置の一例である第１の記憶手段１６、及び第３の記憶装置の一例である第３の記憶手段１８を有している。読取手段４は、情報記憶媒体２に記憶された米質情報を読み取る。演算手段６は、カレンダー機能を有している。演算手段６は、読取手段４で読み取られた収穫時期及び製造日の情報に基づいて、収穫時期から炊飯シーケンスの自動選択日までの第１の経過期間、及び製造日から炊飯シーケンスの自動選択日までの第２の経過期間をそれぞれ演算する。なお、炊飯シーケンスの自動選択日とは、使用者が炊飯シーケンス自動選択装置に、米の米質情報に適した炊飯シーケンスを自動選択するように指示した日をいう。
【００７６】
検索手段８は、前記第１の経過期間の情報、前記第２の経過期間の情報、読取手段４で読み取られた前記米種の情報、及び前記数値で表される米質データに基づいて、第１の記憶手段１６が有する複数の情報テーブルを検索する。
【００７７】
第１の記憶手段１６には、米質分類テーブル１６Ａ及び炊飯シーケンス情報テーブル１６Ｂが予め記憶されている。米質分類情報テーブル１６Ａには、前記数値で表される複数の米質データと、米の収穫時期からの経過期間の情報と、米の製造日からの経過期間の情報とを、少なくとも一つの閾値により分類分けする、複数の米質分類情報がそれぞれ対応させられている。米質分類情報テーブル１６Ａは、例えば、図２Ａに示したような情報テーブルである。炊飯シーケンス情報テーブル１６Ｂには、読取手段４で読み取られた前記米種の情報と前記複数の米質分類情報の組み合わせとに基づいて、それらに適した炊飯シーケンスデータが対応させられている。米種の情報とは、例えば、精白米（うるち）、精白米（もち）、玄米、分づき米、低アレルゲン米などの機能米、無洗米などの米の種類の情報をいう。炊飯シーケンス情報テーブル１６Ｂは、例えば、図２Ｂに示したような情報テーブルである。炊飯シーケンス情報テーブル１６Ｂは、例えば、前記米種の情報が精白米（うるち）で、前記複数の米質分類情報が全て「中」であった場合、Ｂの炊飯シーケンスデータというように、所定の炊飯シーケンスデータが対応させられている情報テーブルである。前記炊飯シーケンスデータとは、例えば図３に示すように、炊飯シーケンスの炊飯工程（主として、前炊き工程、昇温工程、沸騰維持工程、むらし工程）において、通電時間、加熱温度、加熱時間、加熱出力などのデータが予め設定されているものである。
【００７８】
検索手段８は、前記米質情報に基づいて、米質分類情報テーブル１６Ａを検索して複数の米質分類情報を抽出する。検索手段８は、読取手段４で読み取られた米種の情報と、抽出した複数の米質分類情報の組み合わせとに基づいて、炊飯シーケンス情報テーブル１６Ｂを検索して対応する炊飯シーケンスデータを抽出する。出力手段１０は、検索手段８で抽出された炊飯シーケンスデータを、メッセージ検索手段１２及び炊飯器１の制御手段部に出力する。炊飯器１は、例えば後述する炊飯５００Ａや炊飯器５００Ｂである。メッセージ検索手段１２は、出力手段１０が出力する炊飯シーケンスデータに基づいて、第３の記憶手段１８が有するメッセージ情報テーブル１８Ａを検索する。メッセージ情報テーブル１８Ａには、出力手段１０が出力する炊飯シーケンスデータに対して炊飯シーケンスデータに基づく炊飯情報を示すメッセージ情報が対応させられている。なお、炊飯情報とは、炊飯するお米の米質情報や炊飯工程に関する情報である。メッセージ情報の例については後述する。表示手段１４は、メッセージ検索手段１２が抽出したメッセージ情報及び読取手段４が読み取った米質情報を表示する。
実施の形態１の炊飯シーケンス自動選択装置１００は、以上のように構成される。
【００７９】
次に、図４を用いて、情報記憶媒体２と読取手段４について詳細に説明する。図４において情報記憶媒体２は米袋３１に付されたＩＣタグ３２である。ＩＣタグ３２は、情報を記憶するＩＣチップ３３、及び電力を得て無線通信を行うためのアンテナ３４を有している。図４において読取手段４はリーダライターユニット３５である。リーダライターユニット３５は、コイル状のアンテナにより磁界を発生しＩＣタグ３２に電力を供給するリーダライターアンテナ３６、及びリーダライターアンテナ３６に電流を流しＩＣタグ３２との通信を制御するリーダライター３７を有している。
【００８０】
以上のように構成される情報記憶媒体２と読取手段４について、読取手段４が情報記憶媒体２の米質情報を読み取る動作について説明する。
まず、米袋３１に付されたＩＣタグ３２をリーダライター３７に近付ける。ＩＣタグ３２をリーダライター３７に近付ける距離は、使用する周波数やタグの大きさなどに左右されるが、例えば使用周波数が１３．５６ＭＨｚであれば、３０ｃｍ以内である。ＩＣタグ３２がリーダライター３７から３０ｃｍ以内の距離に近付けられると、リーダライター３７がリーダライターアンテナ３６に電流を流すことにより発生している磁界をアンテナ３４が受け、ＩＣチップ３３に電力が供給される。これにより、ＩＣタグ３２とリーダライター３７との通信が開始される。通信が開始されると、リーダライター３７は、ＩＣタグ３２が有する固有のＩＤの中の認識用ＩＤを確認し、米のＩＤであるかを確認する。リーダライター３７は、ＩＣタグ３２が米のＩＤであることを確認すると、ＩＣチップ内に記憶されている複数の米質情報を順次読み取っていく。なお、ＩＣタグ３２が、例えば食パンに付されたものであり、認識用ＩＤが食パンのＩＤであった場合は、通信が行われないようになっている。つまり、通信エラーを防止できるようになっている。
以上のようにして、読取手段４は情報記憶媒体２の米質情報を読み取る。
【００８１】
なお、上記では情報記憶媒体２がＩＣタグであることを説明したが、二次元コード（ＱＲコード）であってもよい。この場合について、図５及び図６を用いて説明する。なお、上記と区別するため、この場合の情報記憶手段２を情報記憶手段２’とし、読取手段４を読取手段４’とする。
【００８２】
図５において、情報記憶手段２’は、米袋４１に付されたＱＲコード４２である。ＱＲコード４２には、図６に示すように、上下左右を判断するために３すみに配置された位置特定セル４６（切り出しシンボルとも呼ばれる）、及び黒と白のマス目パターンにより表現され、縦方向と横方向の二方向に情報を持つデータセル４７により構成されている。図５において、読取手段４’はバーコードリーダユニット４３である。バーコードリーダユニット４３は、ＱＲコード４２のパターンを画像として読み取るためのＣＣＤカメラ４４、及びＱＲコード４２の黒と白のマス目を１、０のデジタル信号に変換するバーコードリーダ４５を有している。
【００８３】
以上のように構成される情報記憶媒体２’と読取手段４’について、読取手段４’が情報記憶媒体２’の米質情報を読み取る動作について説明する。
まず、米袋３１に付されたＱＲコード４２をＣＣＤカメラ４４に近付ける。バーコードリーダ４５は、ＣＣＤカメラ４４を通じてＱＲコード４２のデータを取り込む。バーコードリーダ４５は、３すみに配置された位置特定セルにより、ＱＲコード４２の位置と上下左右を認識し、データセルの黒と白のマス目パターンをデジタルデータに変換する。例えば、マス目パターンが「黒白黒黒白黒白黒」であれば、「１０１１０１０１」というデジタル信号に変換する。なお、データセルの色の組み合わせは、バーコードリーダ４５が読み取れるものであればよく、白黒に限られるものではない。以上のようにして、読取手段４’は情報記憶媒体２’の米質情報を読み取る。
【００８４】
次に、図１及び図７を参照しつつ、実施の形態１の炊飯シーケンス自動選択装置の炊飯シーケンスの自動選択方法について説明する。図７は、実施の形態１の炊飯シーケンス自動選択装置の炊飯シーケンスの自動選択方法を示すフローチャートである。
【００８５】
まず、読取手段４が情報記憶媒体２から米質情報を読み取る（ステップＳ１）。演算手段６が、読取手段４より読み取った米質情報の中の収穫時期及び製造日の情報に基づいて前記第１の経過期間及び前記第２の経過期間を演算し、検索手段８に米質情報として出力する（ステップＳ２）。検索手段８が、読取手段４より読み取った米質情報の中の複数の米質の情報と、演算手段６より出力される前記第１の経過期間及び第２の経過期間の情報とに基づいて、米質分類情報テーブル１６Ａを検索して対応する複数の米質分類情報を取得する（ステップＳ３）。検索手段８が、読取手段４より読み取った米質情報の中の米種の情報と、取得した複数の米質分類情報の組み合わせとに基づいて、炊飯シーケンス情報テーブル１６Ｂを検索して対応する炊飯シーケンスデータを取得する（ステップＳ４）。出力手段１０が、取得した炊飯シーケンスデータを出力する（ステップＳ５）。メッセージ検索手段１２が、出力された炊飯シーケンスデータに基づいて、メッセージ情報テーブル１８Ａを検索して対応するメッセージ情報を取得する（ステップＳ６）。表示手段１４が、取得したメッセージ情報を表示する（ステップＳ７）。
実施の形態１の炊飯シーケンス自動選択装置は、以上のようにして、炊飯する米の米質情報に適した炊飯シーケンスを自動選択する。
【００８６】
次に、表示手段１４が表示するメッセージ情報について説明する。図８及び図９は、表示手段１４が表示するメッセージ情報の例を示している。
一般に精白米は精米してから１ヶ月以内に使用するのが良いとされている。従って、製造日から３０日以上が経過すると早めに使用を促すような表示をするのが良いと考えられる。例えば、製造日が２００５月１月１６日で現在（炊飯シーケンスの自動選択日）が２００５年３月１６日であった場合、図８に示すように、「製造日から６０日経過しています。早めの使用をおすすめします。」というメッセージ情報を対応させておく。このようにすると使用者は、例えば複数の種類のお米があった場合に、どのお米から使用すれば鮮度の良い状態でおいしいご飯を炊くことができるかを確認することができる。メッセージ情報テーブルに記憶させておくメッセージ情報は、適宜設定すればよいが、図８に示すように、読み取った米質情報から産地及び品種、収穫時期、製造日なども合わせて表示するようにすると、炊飯シーケンス自動選択装置が正確に読み取っているのかを確認することができ、また、米袋をしっかり見なくとも表示手段の画面上で確認することができるので好ましい。
【００８７】
また、米の性質は収穫からの経過期間（第１の経過期間）に応じて変化していく。前記第１の経過期間が３ヶ月未満である米（新米）は組織が柔らかく、含水率も高いため、炊飯前に水に浸す時間は短い方がよいとされている。そこで、例えば収穫時期が２００４年１０月で、現在（炊飯シーケンスの自動選択日）が２００４年１１月３０日であるなら、図９に示すように、「新米ですのでひたし時間を短めに炊きます。」というメッセージ情報を対応させておく。このようにすると使用者は、どのようしてお米が炊かれるのかを確認することができる。なお、上記のように収穫時期の情報として年月までの情報しか含まれていない場合には、例えばその月の１５日に収穫されたものと仮定して演算すればよい。つまり、上記では２００４年１０月１５日に収穫されたものとして、前記第１の経過期間を演算すればよい。
【００８８】
本発明の実施の形態１の炊飯シーケンス自動選択装置によれば、使用者は、予め複数の米質情報を記憶した情報記憶媒体２の米質情報を、読取手段４に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【００８９】
また、実施の形態１の炊飯シーケンス自動選択装置によれば、収穫時期から炊飯シーケンスの自動選択日までの経過期間（第１の経過期間）を演算する。これにより、例えば、新米（短）、普通米（中）、古米（長）等の米の鮮度も自動的に判定できる。また、製造日から炊飯シーケンスの自動選択日までの経過期間（第２の経過期間）を演算することにより、さらに炊飯する米の米質情報に適した炊飯シーケンスで炊くことが可能となる。したがって、米本来のおいしさが引き出されたご飯を炊き上げることができる。
【００９０】
また、実施の形態１の炊飯シーケンス自動選択装置によれば、使用者は、情報記憶媒体２の米質情報を、読取手段４に読み取らすだけの簡単な作業を行うことで、炊飯する米の米質情報に適した炊飯シーケンス及び／又は米質情報等を表示手段１４で確認することができる。
【００９１】
《実施の形態２》
図１０及び図１１を用いて、本発明の実施の形態２の炊飯シーケンス自動選択装置及び炊飯シーケンスの自動選択方法について説明する。図１０は、実施の形態２の炊飯シーケンス自動選択装置のブロック図を示している。実施の形態２の炊飯シーケンス自動選択装置２００は、検索手段８、第１の記憶手段１６に代えて検索手段８ａ、第１の記憶手段２０を有し、さらに調整手段９及び第２の記憶装置の一例である第２の記憶手段２２を有する点で実施の形態１の炊飯シーケンス自動選択装置１００と異なる。それ以外の点については同様であるので、重複する説明は省略する。
【００９２】
図１０において、検索手段８ａは、演算手段６で演算された前記第１の経過期間の情報、読取手段４で読み取られた前記米種の情報及び前記数値で表される米質データに基づいて、第１の記憶手段２０が記憶している各複数の情報テーブルを検索する。
【００９３】
第１の記憶手段２０には、成分分類情報テーブル２０Ａ、収穫時期からの経過期間分類情報テーブル２０Ｂ及び炊飯シーケンス情報テーブル２０Ｃが予め記憶されている。成分分類情報テーブル２０Ａには、図１１Ａに示したように、硬軟質に関わる成分、例えばアミロース含量のデータとタンパク質含量のデータとをそれぞれ少なくとも一つの閾値で分類分けした情報の組み合わせに対して、例えば、「硬質」、「標準」、「超軟質」などの成分分類情報が対応させられている。例えば、タンパク質含量が６％、アミロース含量が１８％である場合、タンパク質含量は「４．５〜７」、アミロース含量は「１７〜２０」であるので、成分分類情報は「標準」となる。
【００９４】
収穫時期からの経過期間分類情報テーブル２０Ｂには、図１１Ｂに示したように、収穫時期からの経過期間を少なくとも一つの閾値で分類分けした情報に対して、例えば「新米」、「普通米」、「古米」などの収穫時期からの経過期間分類情報が対応させられている。例えば、前記演算手段６で演算された前記第１の経過期間が２ヶ月の場合、前記第１の経過期間は「３ヶ月未満」に分類分けされるので、収穫時期からの経過期間分類情報テーブル２０Ｂは、「短」となる。
【００９５】
炊飯シーケンス情報テーブル２０Ｃには、図１１Ｃに示したように、米の米種の情報と、成分分類情報と、前収穫時期からの経過期間分類情報との組み合わせに基づいて、それらに適した炊飯シーケンスデータが対応させられている。
【００９６】
検索手段８ａは、前記米質情報に基づいて、成分分類情報テーブル２０Ａを検索して成分分類情報を抽出し、収穫時期からの経過期間分類情報テーブル２０Ｂを検索して収穫時期からの経過期間分類情報を抽出する。検索手段８ａは、読取手段４で読み取られた前記米種の情報と、抽出した成分分類情報と、収穫時期からの経過期間分類情報との組み合わせに基づいて、炊飯シーケンス情報テーブル２０Ｃを検索して対応する炊飯シーケンスデータを抽出する。
【００９７】
調整手段９は、演算手段６で演算された前記第２の経過期間の情報、前記検索手段８ａで抽出した炊飯シーケンスデータ、及び読取手段４より検索手段８ａを介して前記複数の米質データを入力する。調整手段９は、前記第２の経過期間及び前記複数の米質データに基づいて、第２の記憶手段２２が記憶している調整情報テーブル２２Ａを検索する。調整情報テーブル２２Ａには、図１１Ｄに示したように、前記複数の米質データ及び前記第２の経過期間の情報に対して、それぞれ炊飯シーケンスデータの調整データが対応させられている。
【００９８】
調整手段９は、調整情報テーブル２２Ａから前記調整データを抽出し、その調整データにより、抽出した前記炊飯シーケンスデータを調整する。より詳しくは、調整手段９は、抽出した前記炊飯シーケンスデータの炊飯工程（主として、前炊き、昇温、沸騰維持、むらし）での通電時間、加熱温度、加熱時間、又は加熱出力のデータを調整する。さらに具体的には、例えば、前記第２の経過期間が６０日（２ヶ月）であった場合、第２の経過期間６０日に対応する調整情報テーブル２２Ａの調整データが「前炊き工程、時間＋１分」であるなら、それに応じて、抽出した前記炊飯シーケンスデータの前炊き工程の時間を１分長くするなどの調整を行う。
実施の形態２の炊飯シーケンス自動選択装置２００は、以上のように構成される。
【００９９】
次に、図１０及び図１１Ｅを参照しつつ、実施の形態２の炊飯シーケンス自動選択装置の炊飯シーケンスの自動選択方法について説明する。図１１Ｅは、実施の形態２の炊飯シーケンス自動選択装置の炊飯シーケンスの自動選択方法を示すフローチャートである。
【０１００】
まず、読取手段４が情報記憶媒体２から米質情報を読み取る（ステップＳ２１）。演算手段６が、読取手段４より読み取った米質情報の中の収穫時期及び製造日の情報に基づいて、前記第１の経過期間及び前記第２の経過期間を演算する（ステップＳ２２）。検索手段８ａが、読取手段４より読み取った米質情報の中のアミロース含量及びタンパク質含量のデータに基づいて、成分分類情報テーブル２０Ａを検索して対応する成分分類情報を取得する（ステップＳ２３）。検索手段８ａが、演算手段６より出力された前記第１の経過期間の情報に基づいて、収穫時期からの経過期間分類情報テーブル２０Ｂを検索して対応する収穫時期からの経過期間分類情報を取得する（ステップＳ２４）。検索手段８ａが、読取手段４で読み取られた前記米種の情報と、取得した成分前記分類情報及び前記収穫時期からの経過期間分類情報との組み合わせに基づいて、炊飯シーケンス情報テーブル２０Ｃを検索して対応する炊飯シーケンスデータを取得する（ステップＳ２５）。調整手段９が、演算手段６で演算された第２の経過期間の情報及び読取手段４より検索手段８ａを介して入力される前記米質データに基づいて、調整情報テーブル２２Ａを検索して調整データを取得し、それに基づいて、前記取得した炊飯シーケンスデータを調整する（ステップＳ２６）。出力手段１０が、調整された炊飯シーケンスデータを出力する（ステップＳ２７）。メッセージ検索手段１２が、出力された炊飯シーケンスデータに基づいて、メッセージ情報テーブル１８Ａを検索して対応するメッセージ情報を取得する（ステップＳ２８）。表示手段１４が、取得したメッセージ情報を表示する（ステップＳ２９）。
実施の形態２の炊飯シーケンス自動選択装置は、以上のようにして、炊飯する米の米質情報に適した炊飯シーケンスを自動選択する。
【０１０１】
本発明の実施の形態２の炊飯シーケンス自動選択装置によれば、使用者は、予め複数の米質情報を記憶した情報記憶媒体２の米質情報を、読取手段４に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【０１０２】
また、実施の形態２の炊飯シーケンス自動選択装置によれば、米質データ（例えば、含水率、白度、砕米率、水浸裂傷粒率など）に応じて、炊飯シーケンスデータの炊飯工程（主として、前炊き工程、昇温工程、沸騰維持工程、むらし工程）における通電時間、加熱温度、加熱時間、又は加熱出力のデータを調整する。これにより、さらに炊飯する米の米質情報にきめ細かに対応した炊飯シーケンスで炊くことが可能となり、炊飯による加熱が米に与えるダメージを最小限に抑えることができるため、米本来のおいしさが引き出されたご飯を炊き上げることができる。
【０１０３】
また、実施の形態２の炊飯シーケンス自動選択装置によれば、検索手段８ａが検索した炊飯シーケンスデータに基づいて、調整手段９で炊飯シーケンスデータを調整するので、実施の形態１の炊飯シーケンス自動選択装置に比べて、記憶させておく炊飯シーケンスデータの量が少なくすむ。したがって、記憶容量の小さいものを使用できるので、装置の小型化及び低コスト化を図ることができる。
【０１０４】
また、実施の形態２の炊飯シーケンス自動選択装置によれば、使用者は、情報記憶媒体２の米質情報を、読取手段４に読み取らすだけの簡単な作業を行うことで、炊飯する米の米質情報に適した炊飯シーケンス及び／又は複数の米質情報等を表示手段１４で確認することができる。
【０１０５】
《実施の形態３》
図１２及び図１３を用いて、本発明の実施の形態３の炊飯シーケンス自動選択装置について説明する。図１２は、実施の形態３の炊飯シーケンス自動選択装置のブロック図を示している。実施の形態３の炊飯シーケンス自動選択装置３００は、検索手段８ａ、第１の記憶手段２０に代えて検索手段８ｂ、第１の記憶手段２４を有する点で実施の形態２の炊飯シーケンス自動選択装置２００と異なる。それ以外の点については同様であるので、重複する説明は省略する。
【０１０６】
図１２において、検索手段８ｂは、演算手段６で演算された前記第１の経過期間の情報及び読取手段４で読み取られた米の産地及び品種情報に基づいて、第１の記憶手段２４が記憶している複数の情報テーブルを検索する。
【０１０７】
第１の記憶手段２４には、産地及び品種分類情報テーブル２４Ａ、収穫時期からの経過期間分類情報テーブル２４Ｂ、及び炊飯シーケンス情報テーブル２４Ｃが予め記憶されている。産地及び品種分類情報テーブル２４Ａには、図１３Ａに示したよう、米の産地及び品種情報に対して、例えば、「硬質」、「標準」、「超軟質」というような分類で産地及び品種分類情報が対応させられている。例えば米の産地及び品種情報が「新潟産コシヒカリ」であるなら、産地及び品種分類情報は「標準」となる。
【０１０８】
収穫時期からの経過期間分類情報テーブル２４Ｂには、演算手段６で演算された前記第１の経過期間の情報に対して収穫時期からの経過期間分類情報が対応させられている。炊飯シーケンス情報テーブル２４Ｃには、図１３Ｂに示したように、前記産地及び品種分類情報及び前記収穫時期からの経過期間分類情報の組み合わせに基づいて、それらに適した炊飯シーケンスデータが対応させられている。
実施の形態３の炊飯シーケンス自動選択装置は、以上のように構成される。
【０１０９】
次に、図１２及び図１３Ｃを参照しつつ、実施の形態３の炊飯シーケンス自動選択装置の炊飯シーケンスの自動選択方法について説明する。図１３Ｃは、実施の形態３の炊飯シーケンス自動選択装置の炊飯シーケンスの自動選択方法を示すフローチャートである。
【０１１０】
まず、読取手段４が情報記憶媒体２から米質情報を読み取る（ステップＳ３１）。演算手段６が、読取手段４より読み取った米質情報の中の収穫時期及び製造日の情報に基づいて、前記第１の経過期間及び前記第２の経過期間を演算する（ステップＳ３２）。検索手段８ｂが、読取手段４より読み取った米質情報の中の米の産地及び品種情報に基づいて、産地及び品種分類情報テーブル２４Ａを検索して対応する産地及び品種分類情報を取得する（ステップＳ３３）。検索手段８ｂが、演算手段６より出力される前記第１の経過期間の情報に基づいて、収穫時期からの経過期間分類情報テーブル２４Ｂを検索して対応する収穫時期からの経過期間分類情報を取得する（ステップＳ３４）。検索手段８ｂが、取得した産地及び品種情報と、収穫時期からの経過期間分類情報との組み合わせに基づいて、炊飯シーケンス情報テーブル２４Ｄを検索して対応する炊飯シーケンスデータを取得する（ステップＳ３５）。調整手段９が、演算手段６で演算された前記第２の経過期間の情報及び読取手段４より検索手段８ａを介して入力される前記米質データに基づいて、調整情報テーブル２２Ａを検索して調整データを取得し、それに基づいて、前記取得した炊飯シーケンスデータを調整する（ステップＳ３６）。出力手段１０が、調整された炊飯シーケンスデータを出力する（ステップＳ３７）。メッセージ検索手段１２が、出力された炊飯シーケンスデータに基づいて、メッセージ情報テーブル１８Ａを検索して対応するメッセージ情報を取得する（ステップＳ３８）。表示手段１４が、取得したメッセージ情報を表示する（ステップＳ３９）。
実施の形態３の炊飯シーケンス自動選択装置は、以上のようにして、炊飯する米の米質情報に適した炊飯シーケンスを自動選択する。
【０１１１】
本発明の実施の形態３の炊飯シーケンス自動選択装置によれば、使用者は、予め複数の米質情報を記憶した情報記憶媒体２の米質情報を、読取手段４に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の産地及び品種を分類し、その産地及び品種に適した炊飯シーケンスを選択することがないので、使用者による誤操作の可能性を無くすことができる。
【０１１２】
また、実施の形態３の炊飯シーケンス自動選択装置によれば、前記第１の経過期間を演算することにより、例えば新米（短）、普通米（中）、古米（長）等の米の鮮度も自動的に判定できる。したがって、例えば新米の場合には、柔らかくなり過ぎたり水っぽくなったりすることを防ぎ、古米の場合には、硬くなり過ぎたり香りが悪くなったりするのを防ぐことができる。また、前記第２の経過期間を演算することにより、精米の酸化及び乾燥度合いに応じた適切な炊飯シーケンスで炊くことが可能となる。したがって、米の鮮度に関わらず、年間を通じて、その米を最もおいしく炊き上げることができる。
【０１１３】
また、実施の形態３の炊飯シーケンス自動選択装置によれば、使用者は、情報記憶媒体２の米質情報を、読取手段４に読み取らすだけの簡単な作業を行うことで、炊飯する米の米質情報に適した炊飯シーケンス及び／又は米質情報等を表示手段１４で確認することができる。
【０１１４】
《実施の形態４》
図１４及び図１５を用いて、本発明の実施の形態４の炊飯シーケンス自動選択装置について説明する。図１４は、実施の形態４の炊飯シーケンス自動選択装置のブロック図を示している。実施の形態４の炊飯シーケンス自動選択装置４００は、演算手段６、検索手段８ａ、第１の記憶手段２０に代えて、演算手段６ａ、検索手段８ｃ、第１の記憶手段２６を有し、読取情報記憶手段５をさらに有する点で実施の形態２の炊飯シーケンス自動選択装置２００と異なる。それ以外の点については同様であるので、重複する説明は省略する。
【０１１５】
図１４において、自動選択指示部３は、炊飯シーケンス自動選択装置４００に、情報記憶媒体２から読取った米質情報に基づいて適した炊飯シーケンスの自動選択を開始するように指示する。自動選択指示部３は、例えば炊飯シーケンス自動選択装置４００が炊飯器に搭載される場合には、炊飯器の炊飯ボタンに相当するものである。また、自動選択指示部３は、炊飯シーケンス自動選択装置４００に含まれるものであってもよい。
【０１１６】
読取情報記憶手段５は、例えば書き換え可能なＲＡＭやＥＥＰＲＯＭで構成されている。読取情報記憶手段５は、読取手段４で読取った米質情報と、その米質情報の読取日とを記憶する。読取情報記憶手段５は、自動選択指示部３から炊飯シーケンスの自動選択開始の指示を受けると、記憶した前記米質情報の読取日の情報を演算手段６ａに出力し、前記米質情報のデータを検索手段８ｃに出力する。なお、読取情報記憶手段５は、読取手段４が新たな米質情報を読み取るまで、前記米質情報と読取日とをメモリに記憶し続け、新たな米質情報が読み取られると、そのメモリが書き換えられるようになっている。
【０１１７】
演算手段６ａはカレンダー機能を有している。演算手段６ａは、前記米質情報の読取日から炊飯シーケンスの自動選択日までの第３の経過期間を演算する。検索手段８ｃは、読取情報記憶手段５より前記米質情報のデータと、演算手段６ａより前記第３の経過期間の情報とを入力する。検索手段８ｃは、前記米質情報の中の米種、産地及び品種、及び硬軟質に関わる成分のいずれか一つの情報と、前記第３の経過期間の情報とに基づいて、記憶手段２６に予め記憶されている炊飯シーケンス情報テーブル２６Ａを検索する。
【０１１８】
炊飯シーケンス情報テーブル２６Ａには、米質情報の中の米種、産地及び品種、及び硬軟質に関わる成分のいずれか一つの情報と、米質情報の読取日からの経過期間の情報とに基づいて、それらに適した炊飯シーケンスデータが対応させられている。検索手段８ｃは、炊飯シーケンス情報テーブル２６Ａより、前記情報に対応する炊飯シーケンスデータを抽出し、調整手段９に出力する。
実施の形態４の炊飯シーケンス自動選択装置は、以上のように構成される。
【０１１９】
次に、図１４及び図１５を参照しつつ、実施の形態４の炊飯シーケンス自動選択装置の炊飯シーケンスの自動選択方法について説明する。図１５は、実施の形態４の炊飯シーケンス自動選択装置の炊飯シーケンスの自動選択方法を示すフローチャートである。
【０１２０】
まず、読取手段４が、情報記憶媒体２から米質情報を読み取る（ステップＳ４１）。読取情報記憶手段５が、読取手段４より読み取った米質情報の情報と、その米質情報の読取日の情報とを記憶する（ステップＳ４２）。自動選択指示部３が、読取情報記憶手段５に炊飯シーケンスの自動選択開始を指示する（ステップＳ４３）。読取情報記憶手段５が、自動選択指示部３の前記指示により、記憶した前記米質情報の読取日の情報を演算手段６ａに出力し、前記米質情報を検索手段８ｃに出力する。演算手段６ａが、前記第３の経過期間を演算する（ステップＳ４４）。検索手段８ｃが、前記米質情報の中の米種、産地及び品種、及び硬軟質に関わる成分のいずれか一つの情報と、前記第３の経過期間の情報とに基づいて、炊飯シーケンス情報テーブル２６Ａを検索して対応する炊飯シーケンスデータを取得する（ステップＳ４５）。調整手段９が、読取情報記憶手段５より検索手段８ｃを介して入力される前記米質情報の中の米質データに基づいて、調整情報テーブル２２Ａを検索して調整データを取得し、その調整データに基づいて、前記取得した炊飯シーケンスデータを調整する（ステップＳ４６）。出力手段１０が、調整された炊飯シーケンスデータを出力する（ステップＳ４７）。メッセージ検索手段１２が、出力された炊飯シーケンスデータに基づいて、メッセージ情報テーブル１８Ａを検索して対応するメッセージ情報を取得する（ステップＳ４８）。表示手段１４が、取得したメッセージ情報を表示する（ステップＳ４９）。
実施の形態４の炊飯シーケンス自動選択装置は、以上のようにして、炊飯する米の米質情報に適した炊飯シーケンスを自動選択する。
【０１２１】
本発明の実施の形態４の炊飯シーケンス自動選択装置によれば、使用者は、予め複数の米質情報を記憶した情報記憶媒体２の米質情報を、読取手段４に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の産地及び品種を分類し、その産地及び品種に適した炊飯シーケンスを選択することがないので、使用者による誤操作の可能性を無くすことができる。
【０１２２】
また、実施の形態４の炊飯シーケンス自動選択装置においては、読取手段４が米質情報を読取った日付を読取情報記憶手段５に記憶させている。そして、前記第３の経過期間を演算し、その演算した情報に基づいて、炊飯シーケンスを検索するように構成されている。これにより、使用者は、米袋を開封した日に読取手段４にその米質情報を読取らせれば、開封日から炊飯シーケンスの自動選択日までの経過期間を考慮した炊飯シーケンスでご飯を炊き上げることができる。したがって、米本来のおいしさがより引き出されたご飯を炊き上げることができる。また、読取情報記憶手段５に前記米質情報を一度記憶させれば、開封した米袋の米を使い切るまで、何度も読取手段４に読み取らせなくてすむ。
【０１２３】
また、実施の形態４の炊飯シーケンス自動選択装置においては、第１の記憶手段２６が炊飯シーケンス情報テーブル２６のみを有し、また検索手段８ａが検索した炊飯シーケンスデータを調整手段９で調整するように構成されている。これにより、実施の形態２、３の炊飯シーケンス自動選択装置と比べても、記憶させておく炊飯シーケンスデータの量が少なくすむ。つまり、第１の記憶手段２６の記憶容量を小さいものにできるので、装置の小型化及び低コスト化を図ることができる。また、炊飯シーケンスの自動選択にかかる時間も削減することができる。
【０１２４】
また、実施の形態４の炊飯シーケンス自動選択装置によれば、使用者は、情報記憶媒体２の米質情報を、読取手段４に読み取らすだけの簡単な作業を行うことで、炊飯する米の米質情報に適した炊飯シーケンス及び／又は米質情報等を表示手段１４で確認することができる。
【０１２５】
《実施の形態５》
図１６から図２０を用いて、本発明の実施の形態５の炊飯器について説明する。実施の形に態５の炊飯器は、実施の形態１から実施の形態４のいずれかの炊飯シーケンス自動選択装置を備えたものである。図１６及び図１７を用いて、まず、情報記憶媒体２がＩＣタグであるとして構成された炊飯器５００Ａについて説明する。図１６は炊飯器５００Ａの断面図を示し、図１７は炊飯器５００Ａの斜視図を示している。
【０１２６】
図１６において、ボディ１０２は、上面が開口している略円筒形をしており、炊飯器本体を形成している。ボディ１０２の開口部には上枠１０１が嵌着している。ボディ１０２内部には、上枠１０１と保護枠下１０３とで鍋１０４収納部が形成されている。保護枠下１０３は有底円筒状に形成され、保護枠下１０３上端部は上枠１０１に固定されている。保護枠下１０３には内鍋１０４を誘導加熱するための底内コイル１０５ａが設置されており、内鍋１０４を誘導加熱している。内鍋１０４側底面には、内鍋１０４側底面を誘導加熱するための底外コイル１０５ｂが設置されている。内鍋１０４側面には、内鍋１０４側面を誘導加熱するための側面加熱ヒータ１０５ｃが設置されている。底内コイル１０５ａ、底外コイル１０５ｂ及び側面加熱ヒータ１０５ｃに高周波電流を通電し、内鍋１０４を誘導加熱するための加熱基板１０６ａは、保護枠下１０３とボディ１０２内面とで構成される空間に設置されている。この加熱基板１０６ａには、加熱基板１０６ａ上に設置される発熱部品（図示していない）を冷却するためのヒートシンク１０６ｂが加熱基板１０６ａ下方に設置されている。また、このヒートシンク１０６ｂを冷却するための冷却用ファンモータ１０７が、ヒートシンク１０６ｂの下方に設けられている。保護枠下１０３とボディ１０２内面とで構成される空間の加熱基板１０６ａと対向する側には、電源コード１０６ｃが設けられている。電源コード１０６ｃは、商用電源に接続され、加熱基板１０６ａ及び操作基板１１９に電力を供給するものである。
【０１２７】
内鍋１０４底面には、内鍋１０４温度を検知する底センサ１０８がセンサバネ（図示していない）により付勢されている。この底センサ１０８は、炊飯及び保温時の鍋温度を検知することで、後述するマイコン１２０が内鍋１０４内の被調理物を最適な温度状態に制御できるように設置されている。外蓋１０９は合成樹脂から形成され、内蓋１１１及び放熱板１１２を嵌着している。外蓋１０９は、そのヒンジ軸１１０を上枠１０１の後部に一体形成されたヒンジ部材１０１ａに回動自在に支持されている。
【０１２８】
内蓋１１１の外周下部には、鍋パッキン１１４が取り付けられている。内蓋１１１には、炊飯中の蒸気などを本体外部に放出する蒸気通路穴１１３が設けられており、内鍋１０４内の空間と外部とを連通するように構成されている。内蓋１１１の上面には、内蓋１１１の温度を検知するための蓋センサ１１８が圧接されている。内蓋１１１の上方の放熱板１１２の上面には、放熱板１１２を誘導加熱するための蓋加熱ヒータ１１５が設置されている。外蓋１０９の中央部には、内鍋１０４からの蒸気を炊飯器本体外部に排出するために蒸気排出穴１１７が設けられた蒸気筒１１６が設置されている。
【０１２９】
上枠１０１前部の傾斜面の上部には、操作基板１１９、マイコン１２０、ブザー１２１及び表示板１２２が設置され、それらを操作パネル１２８が覆っているマイコン１２０は、前述した炊飯シーケンス自動選択装置の読取手段４及び表示手段１４以外の手段（読取情報記憶手段、演算手段、検索手段、調整手段、出力手段、メッセージ検索手段、及び、第１、第２及び第３の記憶手段）を有している。マイコン１２０は、検索した炊飯シーケンスデータを、計時手段（図示せず）の計時時間を入力し、且つ底センサ１０８及び蓋センサ１１８の温度信号を検知しながら、底内コイル１０５ａ、底外コイル１０５ｂ、側面加熱ヒータ１０５ｃ及び蓋加熱ヒータ１１５の通電時間、加熱温度、加熱時間、又は加熱出力を制御するコントローラ（図示せず）に出力する。表示板１２２は、前述した炊飯シーケンス自動選択装置の表示手段１４に相当するものである。操作パネル１２８の正面右側部には、炊飯ボタン１２９と切ボタン１３０とが設けられている。炊飯ボタン１２９は、押圧されるとマイコン１２０に炊飯等の動作の開始を指示し、長押し（例えば３秒）されると、マイコン１２０に主電源のオンを指示する。切ボタン１３０は、押圧されると各操作の取消等を指示し、長押し（例えば３秒）されるとマイコン１２０に主電源のオフを指示する。
【０１３０】
ボディ１０２と加熱基板１０６ａとの間の空間部には、リーダライター１２４及びリーダライターアンテナ１２５を有するリーダライターユニット１２６が設置されている。リーダライターユニット１２６は、前述した炊飯シーケンス自動選択装置の読取手段４に相当するものである。このリーダライターユニット１２６に近接するボディ１０２の一部分には、ＩＣタグガイド１２７が設けられている。ＩＣタグガイド１２７には、例えば、図１７に示すようなメッセージが書かれており、使用者がＩＣタグを何処に近付ければよいのかを知らせるようになっている。ハンドル１２３は、炊飯器本体を持ち運びできるようにするために、ボディ１０２に取り付けられたものである。炊飯器５００Ａは以上のように構成される。
【０１３１】
次に、図１６及び図１８を参照しつつ、実施の形態５の炊飯器５００Ａの一般的な炊飯工程について説明する。図１８は、実施の形態５の炊飯器５００Ａの炊飯工程を示す図である。実施の形態５の炊飯器５００Ａの炊飯工程は、主として、前炊き工程、昇温工程、沸騰維持工程、むらし工程からなる。図１８において、実線で示したものは、各工程における底センサ１０８の検知温度の推移を表している。
【０１３２】
前炊き工程は、以降の工程において、米の中心部まで十分に糊化できるように、糊化温度よりも低温の水に米をひたして、予め米に吸水させる工程である。また、前炊き工程は、米に含まれるアミラーゼによりでんぷんを分解し、グルコースを生成させ、ご飯の甘味を生み出す工程でもある。このため、前炊き工程では、計時手段（図示せず）の計時時間が第一の所定時間ｔ１（通常２０分前後）になるまで、底センサ１０８の検知温度が第一の所定温度Ｔ１（通常５５℃前後）になるように、マイコン１２０が、底内コイル１０５ａ及び底外コイル１０５ｂに一定周期において所定の時間の通電を繰り返す制御を行う。
【０１３３】
計時手段の計時時間が第一の所定時間ｔ１になると、前炊き工程を終了し、昇温工程に移行する。昇温工程では、内蓋１１１の温度が所定の温度に達したことを蓋センサ１１８が検知するまで、内鍋１０４を加熱する。なお、このとき、マイコン１２０が底内コイル１０５ａ及び底外コイル１０５ａの消費電力の制御を行う。
【０１３４】
蓋センサ１１８が内蓋１１１の温度が所定の温度に達したのを検知すると、昇温工程を終了し、沸騰維持工程に移行する。沸騰維持工程は、米でんぷんを糊化させて、糊化度を５０％〜６０％程度まで引き上げる工程である。沸騰維持工程では、内鍋１０４に水がある間は、内鍋１０４内の米及び水が沸騰状態を維持するように、マイコン１２０が、底内コイル１０５ａ及び底外コイル１０５ｂに一定周期において、そのときの炊飯量に応じた時間の通電を繰り返す制御を行う。この通電により、内鍋１０４内の水が吸水されたり蒸発したりしてなくなると、内鍋１０４の温度が上昇する。底センサ１０８の検知温度が、第二の所定温度Ｔ２（水の沸点以上）に到達すると、沸騰維持工程を終了し、むらし工程に移行する。
【０１３５】
むらし工程は、米でんぷんを糊化させて、糊化度を１００％近くまで引き上げる工程である。むらし工程では、図１８に示すように、計時手段の計時時間に応じて、内鍋１０４を加熱しない休止工程と加熱する追炊き工程とを交互に複数回繰り返す。例えば、追炊き工程では、計時手段の計時時間が第三の所定時間ｔ３になるまで、マイコン１２０が底内コイル１０５ａ及び底外コイル１０５ｂに一定周期において、そのときの炊飯量に応じた時間の通電を繰り返す制御を行う。
以上のようにして、実施の形態５の炊飯器５００Ａの炊飯工程が行われる。
【０１３６】
次に、図１９及び図２０を用いて、情報記憶媒体２がＱＲコードであるとして構成された炊飯器５００Ｂについて説明する。図１９は炊飯器５００Ｂの断面図を示し、図２０は炊飯器５００Ｂの斜視図を示している。炊飯器５００Ｂは、リーダライターユニット１２６及びＩＣタグガイド１２７に代えて、バーコードリーダユニット１３１を有する点で、前述した炊飯器５００Ａと異なる。それ以外の点においては、同様であるので重複する説明は省略する。
【０１３７】
図１９において、バーコードリーダユニット１３１は、バーコードリーダ１３２及びカメラ１３３から構成されている。バーコードリーダ１３２は、ボディ１０２と加熱基板１０６ａとの間の空間部に設置されている。カメラ１３３は、図１９及び図２０に示すようにバーコードリーダ１３２に近接するボディ１０２の一部分に嵌着され、バーコードリーダ１３２に接続されている。炊飯器５００Ｂは以上のように構成される。
【０１３８】
次に、図１６、図１７、図２１及び図２２を参照しつつ、本実施の形態５の炊飯器５００Ａの使用方法について説明する。図２１は、袋梱包されたお米を開封し初めて炊飯するときのフローチャート、図２２は、２回目以降のフローチャートを示している。以下の説明において、炊飯器５００Ａは、実施の形態４の炊飯シーケンス検索装置４００（図１４）の機能を備えているものとする。具体的には、炊飯シーケンス検索装置４００の読取手段４はリーダライターユニット１２６に相当し、自動選択指示部３は炊飯器５００Ａの炊飯ボタンに相当し、表示手段１４は表示板１２２に相当し、それ以外の手段（読取情報記憶手段５、演算手段６ａ、検索手段８ｃ、調整手段９、出力手段１０、メッセージ検索手段１２、及び、第１、第２及び第３の記憶手段１８、２２、２６）はマイコン１２０が備えるものとする（初回炊飯時のフロー）。
【０１３９】
まず、使用者は、これから初めて炊飯する予定のお米を梱包している米袋３１に付されたＩＣタグを、炊飯器５００ＡのＩＣタグガイド１２７（図１６及び図１７）に近付ける。これにより、ＩＣタグガイド１２７に近接するリーダライターユニット１２６が前記ＩＣタグに記憶された米質情報を読み取る（ステップＳ１０１）。
次いで、マイコン１２０がリーダライターユニット１２６により読み取った米質情報と、その米質情報の読取日の情報とを記憶（書き換え）する（ステップＳ１０２）。
【０１４０】
次いで、マイコン１２０は、前記米質情報の中の収穫時期の情報に基づいて、前記第１の経過期間を演算する（ステップＳ１０３）。
次いで、マイコン１２０は、前記米質情報の中の米種、銘柄、及び硬軟質に関わる成分のいずれか一つの情報に基づいて、炊飯シーケンス情報テーブルを検索して、対応する炊飯シーケンスデータを抽出する（ステップＳ１０４）。
次いで、マイコン１２０は、演算した前記第１の経過期間と、前記米質情報の中の複数の米質データとに基づいて、抽出した前記炊飯シーケンスデータを調整する（ステップＳ１０５）。
【０１４１】
次いで、マイコン１２０は、調整した前記炊飯シーケンスデータに基づいて、メッセージ情報テーブルを検索して、対応するメッセージ情報を抽出する（ステップＳ１０６）。次いで、マイコン１２０は、抽出したメッセージ情報を出力し、表示板１２２に表示させる（ステップＳ１０７）。
【０１４２】
次いで、使用者は、表示板１２２に表示されたメッセージを確認、あるいは参考にして、前記米質情報を読み取らせたお米を研ぎ、その研いだお米と、そのお米を炊飯するのに要する分量の水とを内鍋１０４内に収容する。次いで、使用者は、この内鍋１０４をボディ１０２内部の上枠１０１と保護枠下１０３とで形成される鍋１０４収納部に収納し、炊飯ボタン１２９を押圧する（ステップＳ１０８）。
【０１４３】
ここでもし、表示板１２２に表示されたメッセージ情報の内容にエラーが有るために、又はメッセージ情報の確認のみでその時に炊飯を実行しないために、使用者が切ボタン１３０を押圧した場合には、マイコン１２０は初回炊飯時のフローを終了させる（ステップＳ１０９）。なお、表示板１２２に表示されたメッセージ情報の内容にエラーが有った場合、使用者は米袋３１に付されたＩＣタグを再度、炊飯器５００ＡのＩＣタグガイド１２７に近付けて、リーダライターユニット１２６に米質情報を読み取らせるなどの操作を行えばよい。
【０１４４】
ステップ１０７の終了後、炊飯ボタン１２９が押圧（ステップＳ１０８）されたとき、マイコン１２０は、調整した前記炊飯シーケンスデータを前記コントローラ（図示せず）に出力し、炊飯工程を開始させる（ステップＳ１１０）。
以上により、初回炊飯時のフローが終了する。
【０１４５】
（２回目以降の炊飯時のフロー）
まず、使用者は、炊飯器５００Ａの操作パネル１２８にある炊飯ボタン１２９を押圧する（ステップＳ２０１）。炊飯ボタン１２９が押圧されたとき、マイコン１２０が、前回記憶した、リーダライターユニット１２６により読み取った米質情報と、その米質情報の読取日の情報とを読み出す（ステップＳ２０２）。
【０１４６】
次いで、前記米質情報と前記米質情報の読取日の情報とに基づいて、前記第１の経過期間及び前記第３の経過期間を演算する（ステップＳ２０３）。
次いで、マイコン１２０は、前記米質情報の中の米種、銘柄、及び硬軟質に関わる成分のいずれか一つの情報と、演算した前記第３の経過期間の情報に基づいて、炊飯シーケンス情報テーブルを検索して、対応する炊飯シーケンスデータを抽出する（ステップＳ２０４）。
【０１４７】
次いで、マイコン１２０は、演算した前記第１の経過期間と、前記米質情報の中の複数の米質データとに基づいて、抽出した前記炊飯シーケンスデータを調整する（ステップＳ２０５）。
次いで、マイコン１２０は、調整した前記炊飯シーケンスデータに基づいて、メッセージ情報テーブルを検索して、対応するメッセージ情報を抽出する（ステップＳ２０６）。次いで、マイコン１２０は、抽出したメッセージ情報を出力し、表示板１２２に表示させる（ステップＳ２０７）。
【０１４８】
次いで、使用者は、表示板１２２に表示されたメッセージ情報を確認、あるいは参考にして、前記米質情報を読み取らせたお米を研ぎ、その研いだお米と、その米を炊飯するのに要する分量の水とを内鍋１０４内に収容する。次いで、使用者は、この内鍋１０４をボディ１０２内部の上枠１０１と保護枠下１０３とで形成される鍋１０４収納部に収納し、炊飯ボタン１２９を押圧する（ステップＳ２０８）。
【０１４９】
ここでもし、表示板１２２に表示されたメッセージ情報の内容にエラーが有るために、又はメッセージ情報の確認のみでその時に炊飯を実行しないために、使用者が切ボタンを押圧した場合には、マイコン１２０は２回目以降の炊飯時のフローを終了させる（ステップＳ２０９）。なお、表示板１２２に表示されたメッセージ情報の内容にエラーが有った場合、使用者は、米袋３１に付されたＩＣタグを再度、炊飯器５００ＡのＩＣタグガイド１２７に近付けて、リーダライターユニット１２６に米質情報を読み取らせるなどの操作（ステップＳ１０１に戻る）を行えばよい。
【０１５０】
ステップ２０９の終了後、炊飯ボタン１２９が押圧（ステップＳ２０８）されたとき、マイコン１２０は、調整した前記炊飯シーケンスデータを前記コントローラ（図示せず）に出力し、炊飯工程を開始させる（ステップＳ２１０）。以上により、２回目以降の炊飯時のフローが終了する。
【０１５１】
本発明の実施の形態５の炊飯器によれば、使用者は、ＩＣタグをリーダライターユニット１２６に、ＱＲコードをバーコードリーダユニット１３１に読み取らすだけの簡単な作業で、炊飯する米の米質情報に適した炊飯シーケンスを抽出することができる。したがって、炊飯する米の米質情報に適した炊飯シーケンスで炊くことができる。また、使用者が自ら、炊飯する米の米質情報に適した炊飯シーケンスを選択することがないので、使用者による誤操作の可能性を無くすことができる。
【０１５２】
また、実施の形態５の炊飯器によれば、使用者は、ＩＣタグをリーダライターユニット１２６に、ＱＲコードをバーコードリーダユニット１３１に読み取らすだけの簡単な作業を行うことで、炊飯する米の米質情報に適した炊飯シーケンス及び／又は米質情報等を表示板１２２で確認することができる。
【０１５３】
なお、上述した実施の形態１から実施の形態４の炊飯シーケンス自動選択装置では、炊飯する米の米質情報により適した炊飯シーケンスを選択できるように、複数の米質情報に対応した複数の情報テーブルを用意したが、本発明はこれに限定されるものではない。つまり、情報記憶媒体２には、米種、産地及び品種、又は硬軟質に関わる成分のいずれか一つの米質情報が記憶されておればよく、炊飯シーケンス自動選択装置には、その情報に対応した情報テーブルを用意すればよい。例えば、米質情報の中に米種の情報のみが含まれているとした場合、炊飯シーケンス情報テーブルは、図２３に示したようになる。また、その米質情報にさらに収穫時期からの経過期間の情報が含まれている場合、炊飯シーケンス情報テーブルは、図２４に示したようになる。同様にして、米質情報の中に産地及び品種、又は硬軟質に関わる成分の情報が含まれているとした場合、図２５〜図２８に示したようになる。その様に構成すれば、記憶容量の小さいものを使用でき、装置の小型化及び低コスト化を図ることができる。
【０１５４】
また、上述した実施の形態１から実施の形態４の炊飯シーケンス自動選択装置は、炊飯器に搭載されるものに限定されるものではない。例えば、単一の装置であってもよいし、他の装置に組み込まれてもよい。
また、上記収穫時期からの経過期間は、上記製造日からの経過期間よりも長くなるはずである。したがって、上記収穫時期からの経過期間が上記製造日からの経過期間より、短かった場合には、読み取りエラーが表示部に表示させるように構成してもよい。
また、上述の情報記憶媒体２は、ＩＣタグ、ＱＲコードに限定されるものではなく、記憶容量の大きい外部情報記憶媒体であるＳＤカードやフラッシュカード、メモリースティックなどでもよい。
【０１５５】
上記において、発明をある程度の詳細さをもって好適な形態について説明したが、この好適形態の現開示内容は構成の細部において変化してしかるべきものであり、各要素の組み合わせや順序の変化は請求された発明の範囲及び思想を逸脱することなく実現し得るものである。
【産業上の利用可能性】
【０１５６】
本発明は、炊飯する米の米質情報に適した炊飯シーケンスを自動選択する炊飯シーケンス自動選択装置及び方法、並びにその装置を備えた炊飯器に有用である。
【図面の簡単な説明】
【０１５７】
【図１】本発明の実施の形態１の炊飯シーケンス自動選択装置のブロック図
【図２Ａ】本発明の実施の形態１の炊飯シーケンス自動選択装置の米質分類情報テーブルを示す図
【図２Ｂ】炊飯シーケンス情報テーブルの一例を示す図
【図３】炊飯シーケンスの設定例を示す図
【図４】米袋に付されたＩＣタグとリーダライターユニットを示す図
【図５】米袋に付されたＱＲコードとバーコードリーダユニットを示す図
【図６】ＱＲコードを示す図
【図７】本発明の実施の形態１の炊飯シーケンス自動選択装置における炊飯シーケンスの自動選択方法のフローチャート
【図８】表示手段の表示例を示す図
【図９】表示手段の他の表示例を示す図
【図１０】本発明の実施の形態２の炊飯シーケンス自動選択装置のブロック図
【図１１Ａ】成分分類情報テーブルの一例を示す図
【図１１Ｂ】収穫時期からの経過期間分類情報テーブルの一例を示す図
【図１１Ｃ】炊飯シーケンス情報テーブルの他の例を示す図
【図１１Ｄ】調整情報テーブルの一例を示す図
【図１１Ｅ】本発明の実施の形態２の炊飯シーケンス自動選択装置における炊飯シーケンスの自動選択方法のフローチャート
【図１２】本発明の実施の形態３の炊飯シーケンス自動選択装置のブロック図
【図１３Ａ】産地及び品種分類情報テーブルの一例を示す図
【図１３Ｂ】炊飯シーケンス情報テーブルのさらに他の例を示す図
【図１３Ｃ】本発明の実施の形態３の炊飯シーケンス自動選択装置における炊飯シーケンスの自動選択方法のフローチャート
【図１４】本発明の実施の形態４の炊飯シーケンス自動選択装置のブロック図
【図１５】本発明の実施の形態４の炊飯シーケンス自動選択装置における炊飯シーケンスの自動選択方法のフローチャート
【図１６】本発明の実施の形態５の炊飯器の断面図
【図１７】本発明の実施の形態５の炊飯器の斜視図
【図１８】本発明の実施の形態５の炊飯器の炊飯工程を示す図
【図１９】本発明の実施の形態５の他の構成を有する炊飯器の断面図
【図２０】本発明の実施の形態５の他の構成を有する炊飯器の斜視図
【図２１】本発明の実施の形態５の炊飯器の米質情報読みとりから炊飯開始までのフローチャート
【図２２】本発明の実施の形態５の炊飯器の２回目以降のフローチャート
【図２３】炊飯シーケンス情報テーブルのさらに他の例を示す図
【図２４】炊飯シーケンス情報テーブルのさらに他の例を示す図
【図２５】炊飯シーケンス情報テーブルのさらに他の例を示す図
【図２６】炊飯シーケンス情報テーブルのさらに他の例を示す図
【図２７】炊飯シーケンス情報テーブルのさらに他の例を示す図
【図２８】炊飯シーケンス情報テーブルのさらに他の例を示す図
【符号の説明】
【０１５８】
２  情報記憶媒体
３  検索指示部
４  読取手段
５  読取情報記憶手段
６  演算手段
８、８ａ、８ｂ、８ｃ  検索手段
１０  出力手段
１２  メッセージ検索装置
１４  表示手段
１６、１８、２０、２２、２４、２６  記憶手段
３１、４１  米袋
３２  ＩＣタグ
３３  ＩＣチップ
３４  アンテナ
３５  リーダライターユニット
３６  リーダライターアンテナ
３７  リーダライター
４２  ＱＲコード
４３  バーコードリーダユニット
４４  カメラ
４５  バーコードリーダ
４６  位置特定セル
４７  データセル
１００、２００、３００、４００  炊飯シーケンス自動選択装置
５００Ａ、５００Ｂ  炊飯器
【図１】
2006326289.tif 000003
【図２Ａ】
2006326289.tif 000004
【図２Ｂ】
2006326289.tif 000005
【図３】
2006326289.tif 000006
【図４】
2006326289.tif 000007
【図５】
2006326289.tif 000008
【図６】
2006326289.tif 000009
【図７】
2006326289.tif 000010
【図８】
2006326289.tif 000011
【図９】
2006326289.tif 000012
【図１０】
2006326289.tif 000013
【図１１Ａ】
2006326289.tif 000014
【図１１Ｂ】
2006326289.tif 000015
【図１１Ｃ】
2006326289.tif 000016
【図１１Ｄ】
2006326289.tif 000017
【図１１Ｅ】
2006326289.tif 000018
【図１２】
2006326289.tif 000019
【図１３Ａ】
2006326289.tif 000020
【図１３Ｂ】
2006326289.tif 000021
【図１３Ｃ】
2006326289.tif 000022
【図１４】
2006326289.tif 000023
【図１５】
2006326289.tif 000024
【図１６】
2006326289.tif 000025
【図１７】
2006326289.tif 000026
【図１８】
2006326289.tif 000027
【図１９】
2006326289.tif 000028
【図２０】
2006326289.tif 000029
【図２１】
2006326289.tif 000030
【図２２】
2006326289.tif 000031
【図２３】
2006326289.tif 000032
【図２４】
2006326289.tif 000033
【図２５】
2006326289.tif 000034
【図２６】
2006326289.tif 000035
【図２７】
2006326289.tif 000036
【図２８】
2006326289.tif 000037